(57)【特許請求の範囲】
【請求項１】
画像情報を記録媒体にプリントさせるプリントジョブを複数受付可能とし、且つ、各プリントジョブの画像情報を含む複数の画像情報を記憶可能な記憶手段を有する画像形成装置であって、
上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行させる表示制御手段を有し、
上記表示制御手段は、
上記第１の表示を操作部に実行させたうえで上記複数のプリントジョブの中から何れかのプリントジョブをユーザにより選択可能にする為の第２の表示を上記操作部に実行させ、
更に、上記表示制御手段は、
上記第１の表示を上記操作部に実行させ、且つ、上記第２の表示を介してプリントジョブが選択されたうえで、該選択されたプリントジョブのプリント処理を他のプリントジョブに優先して実行させる指示をユーザにより入力可能にする為の第３の表示を上記操作部に実行させ、
上記画像形成装置は、
上記第１の表示がなされ、且つ、上記第２の表示を介して上記第３ジョブが選択され、且つ、上記第３の表示を介して上記指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にする為の制御手段を有し、
上記表示制御手段は、
上記第１の表示がなされ、且つ、上記第２の表示を介して上記第３ジョブが選択され、且つ、上記第３の表示を介して上記指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にする、ことを特徴とする画像形成装置。
【請求項２】
画像情報を記録媒体にプリントさせるプリントジョブを複数受付可能とし、且つ、各プリントジョブの画像情報を含む複数の画像情報を記憶可能な記憶手段を有する画像形成装置であって、
上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行させる表示制御手段を有し、
上記表示制御手段は、
上記第１の表示を上記操作部に実行させたうえで上記複数のプリントジョブの中から何れかのプリントジョブをユーザにより選択可能にする為の第２の表示を上記操作部に実行させ、
更に、上記表示制御手段は、
上記第１の表示を操作部に実行させ、且つ、上記第２の表示を介してプリントジョブが選択されたうえで、該選択されたプリントジョブのプリント処理を他のプリントジョブに優先して実行させる第１指示をユーザにより入力可能にする為の第３の表示を上記操作部に実行させ、
上記画像形成装置は、
上記第１の表示がなされ、且つ、上記第２の表示を介して上記第３ジョブが選択され、且つ、上記第３の表示を介して上記第１指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にする為の制御手段を有し、
上記表示制御手段は、
上記第１の表示がなされ、且つ、上記第２の表示を介して上記第３ジョブが選択され、且つ、上記第３の表示を介して上記第１指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にし、
更に、上記表示制御手段は、
上記第１の表示を操作部に実行させ、且つ、上記第２の表示を介してプリントジョブが選択されたうえで、該選択されたプリントジョブのプリント処理を中止させる第２指示をユーザにより入力可能にする為の第４の表示を上記操作部に実行させ、
上記制御手段は、
上記第１の表示がなされ、且つ、上記第２の表示を介してプリントジョブが選択され、且つ、上記第４の表示を介して上記第２指示が入力された場合に、プリント処理が完了していない上記複数のプリントジョブのうちの、上記第２の表示を介して選択されていないプリントジョブのプリント処理は中止せずに、上記第２の表示を介して選択されたプリントジョブのプリント処理を中止可能に制御し、
上記表示制御手段は、
上記第１の表示がなされ、且つ、上記第２の表示を介してプリントジョブが選択され、且つ、上記第４の表示を介して上記第２指示が入力されたうえで、該選択されたプリントジョブのプリント処理を中止する場合に、該選択されたプリントジョブの情報を上記操作部における上記第１の表示から消去可能にする、ことを特徴とする画像形成装置。
【請求項３】
画像情報を記録媒体にプリントさせるプリントジョブを複数受付可能とし、且つ、各プリントジョブの画像情報を含む複数の画像情報を記憶可能な記憶手段を有する画像形成装置であって、
上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブ、及び、該第３ジョブの後にプリント処理を実行すべきプリント待ち状態の第４ジョブを含む、プリント処理が完了していない互いに独立した複数のプリントジョブのジョブ状況として、上記第１ジョブがプリント中であり且つ上記第２ジョブ及び上記第３ジョブ及び上記第４ジョブが夫々プリント待ち状態であることを各ジョブ毎にユーザにより識別可能にし、且つ、これらのジョブのプリント順序をユーザにより識別可能にする為の第１の表示を操作部に実行させる表示制御手段を有し、
上記表示制御手段は、
上記第１の表示を操作部に実行させたうえで上記複数のプリントジョブの中から何れかのプリントジョブをユーザにより複数選択可能にする為の第２の表示を上記操作部に実行させ、
更に、上記表示制御手段は、
上記第１の表示を上記操作部に実行させ、且つ、上記第２の表示を介して複数のプリントジョブが選択されたうえで、該選択された複数のプリントジョブのプリント処理を他のプリントジョブに優先して実行させる指示をユーザにより入力可能にする為の第３の表示を上記操作部に実行させ、
上記画像形成装置は、
上記第１の表示がなされ、且つ、上記第２の表示を介して上記第３ジョブ及び上記第４ジョブが選択され、且つ、上記第３の表示を介して上記指示が入力された場合に、上記プリント中の第１ジョブのプリント処理は中断せずに、該第３ジョブのプリント処理と該第４ジョブのプリント処理を、上記第１ジョブのプリント処理が完了してから上記記第２ジョブのプリント処理を開始する前に、連続的に、実行可能にする為の制御手段を有し、
上記表示制御手段は、
上記第１の表示がなされ、且つ、上記第２の表示を介して上記第３ジョブ及び上記第４ジョブが選択され、且つ、上記第３の表示を介して上記指示が入力されたうえで、上記第３ジョブのプリント処理と上記第４ジョブのプリント処理を、上記第１ジョブのプリント処理が完了してから上記記第２ジョブのプリント処理を開始する前に、連続的に実行する場合に、該第３ジョブのプリント処理と上記第４ジョブのプリント処理とが上記第１ジョブのプリント処理の完了後で且つ上記第２ジョブのプリント処理の開始前に連続的に実行されることをユーザにより識別出来るように、上記操作部の上記第１の表示におけるプリント順序に関する表示内容を変更可能にする、ことを特徴とする画像形成装置。
【請求項４】
画像情報を記録媒体にプリントさせるプリントジョブを複数受付可能とし、且つ、各プリントジョブの画像情報を含む複数の画像情報を記憶可能な記憶手段を有する画像形成装置であって、
上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブ、及び、該第３ジョブの後にプリント処理を実行すべきプリント待ち状態の第４ジョブを含む、プリント処理が完了していない互いに独立した複数のプリントジョブのジョブ状況として、上記第１ジョブがプリント中であり且つ上記第２ジョブ及び上記第３ジョブ及び上記第４ジョブが夫々プリント待ち状態であることを各ジョブ毎にユーザにより識別可能にし、且つ、これらのジョブのプリント順序をユーザにより識別可能にする為の第１の表示を操作部に実行させる表示制御手段を有し、
上記表示制御手段は、
上記第１の表示を操作部に実行させたうえで上記複数のプリントジョブの中から何れかのプリントジョブをユーザにより複数選択可能にする為の第２の表示を上記操作部に実行させ、
更に、上記表示制御手段は、
上記第１の表示を上記操作部に実行させ、且つ、上記第２の表示を介して複数のプリントジョブが選択されたうえで、該選択された複数のプリントジョブのプリント処理を他のプリントジョブに優先して実行させる第１指示をユーザにより入力可能にする為の第３の表示を上記操作部に実行させ、
上記画像形成装置は、
上記第１の表示がなされ、且つ、上記第２の表示を介して上記第３ジョブ及び上記第４ジョブが選択され、且つ、上記第３の表示を介して上記第１指示が入力された場合に、上記プリント中の第１ジョブのプリント処理は中断せずに、該第３ジョブのプリント処理と該第４ジョブのプリント処理を、上記第１ジョブのプリント処理が完了してから上記記第２ジョブのプリント処理を開始する前に、連続的に、実行可能にする為の制御手段を有し、
上記表示制御手段は、
上記第１の表示がなされ、且つ、上記第２の表示を介して上記第３ジョブ及び上記第４ジョブが選択され、且つ、上記第３の表示を介して上記第１指示が入力されたうえで、上記第３ジョブのプリント処理と上記第４ジョブのプリント処理を、上記第１ジョブのプリント処理が完了してから上記記第２ジョブのプリント処理を開始する前に、連続的に実行する場合に、該第３ジョブのプリント処理と上記第４ジョブのプリント処理とが上記第１ジョブのプリント処理の完了後で且つ上記第２ジョブのプリント処理の開始前に連続的に実行されることをユーザにより識別出来るように、上記操作部の上記第１の表示におけるプリント順序に関する表示内容を変更可能にし、
更に、上記表示制御手段は、
上記第１の表示を操作部に実行させ、且つ、上記第２の表示を介して複数のプリントジョブが選択されたうえで、該選択された複数のプリントジョブのプリント処理を中止させる第２指示をユーザにより入力可能にする為の第４の表示を上記操作部に実行させ、
上記制御手段は、
上記第１の表示がなされ、且つ、上記第２の表示を介して複数のプリントジョブが選択され、且つ、上記第４の表示を介して上記第２指示が入力された場合に、プリント処理が完了していない上記複数のプリントジョブのうちの、上記第２の表示を介して選択されていないプリントジョブのプリント処理は中止せずに、上記第２の表示を介して選択された複数のプリントジョブのプリント処理を中止可能に制御し、
上記表示制御手段は、
上記第１の表示がなされ、且つ、上記第２の表示を介して複数のプリントジョブが選択され、且つ、上記第４の表示を介して上記第２指示が入力されたうえで、該選択された複数のプリントジョブのプリント処理を中止する場合に、該選択された複数のプリントジョブの情報を上記操作部における上記第１の表示から消去可能にする、ことを特徴とする画像形成装置。
【請求項５】
画像情報を記録媒体にプリントさせるプリントジョブを複数受付可能とし、且つ、各プリントジョブの画像情報を含む複数の画像情報を記憶可能な記憶手段を有する画像形成装置であって、
上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行させる表示制御手段を有し、
上記表示制御手段は、
上記第１の表示を上記操作部に実行させたうえで上記複数のプリントジョブの中から何れかのプリントジョブをユーザにより選択可能にする為の第２の表示を上記操作部に実行させ、
更に、上記表示制御手段は、
上記第１の表示を操作部に実行させ、且つ、上記第２の表示を介してプリントジョブが選択されたうえで、該選択されたプリントジョブのプリント処理を他のプリントジョブに優先して実行させる第１指示をユーザにより入力可能にする為の第３の表示を上記操作部に実行させ、
上記画像形成装置は、
上記第１の表示がなされ、且つ、上記第２の表示を介して上記第３ジョブが選択され、且つ、上記第３の表示を介して上記第１指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にする為の制御手段を有し、
上記表示制御手段は、
上記第１の表示がなされ、且つ、上記第２の表示を介して上記第３ジョブが選択され、且つ、上記第３の表示を介して上記第１指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にし、
更に、上記表示制御手段は、
上記第１の表示を上記操作部に実行させると共に、上記画像形成装置にてプリント処理が終了済みの互いに独立した複数のプリントジョブのジョブ履歴を上記操作部に表示させる第２指示をユーザにより入力可能にする為の第４の表示を上記操作部に実行させ、
該表示制御手段は、
上記第１の表示を上記操作部に実行させている場合において上記第４の表示を介して上記第２指示が入力された場合に、上記画像形成装置にてプリント処理が終了済みの互いに独立した複数のプリントジョブの履歴情報を各ジョブ毎にユーザにより識別可能にする為の第５の表示を、上記第１の表示のかわって、上記操作部に実行可能にする、ことを特徴とする画像形成装置。
【請求項６】
上記表示制御手段は、
上記第５の表示として、プリント処理が終了済みの各ジョブの履歴情報をリストで示す一覧表示を実行させ、上記一覧表示の中から何れかのプリントジョブをユーザにより選択可能にし、
上記一覧表示の中からプリントジョブが選択されたうえで、該選択されたプリントジョブの履歴に関する詳細情報を上記操作部に表示させる履歴詳細表示指示をユーザにより入力可能にする為の表示を上記操作部に実行させ、
上記一覧表示の中からプリントジョブが選択され、且つ、上記表示を介して上記ジョブ履歴詳細表示指示が入力されたうえで、該一覧表示の中から選択されたプリントジョブの履歴に関する詳細情報を上記操作部に表示可能にする、ことを特徴とする請求項５記載の画像形成装置。
【請求項７】
上記表示制御手段は、
第１の表示として、プリント処理が完了していない各ジョブの実行状況をリストで示す一覧表示を上記操作部に実行させ、上記一覧表示の中から何れかのプリントジョブをユーザにより選択可能にし、
上記一覧表示の中からプリントジョブが選択されたうえで、該選択されたプリントジョブの実行状況に関する詳細情報を上記操作部に表示させる状況詳細表示指示をユーザにより入力可能にする為の表示を上記操作部に実行させ、
上記一覧表示の中からプリントジョブが選択され、且つ、上記表示を介して上記状況詳細表示指示が入力されたうえで、該一覧表示の中から選択されたプリントジョブの実行状況に関する詳細情報を上記操作部に表示可能にする、ことを特徴とする請求項１乃至６の何れかに記載の画像形成装置。
【請求項８】
上記表示制御手段は、
ジョブ状況として、プリント処理が完了していないジョブの受付時間を各ジョブ毎にユーザにより識別可能にする為の情報を含んだ表示を上記操作部に実行させることを特徴とする請求項１乃至７の何れかに記載の画像形成装置。
【請求項９】
上記画像形成装置は、コピー機能及びプリント機能及びファクシミリ機能の少なくとも何れかの機能を含む複数の機能を具備し、互いに異なる機能の複数のプリントジョブを受付可能とし、
上記表示制御手段は、ジョブ状況として、プリント処理が完了していないジョブが上記複数の機能の何れかの機能であるかを各ジョブ毎にユーザにより識別可能にする為の情報を含んだ表示を上記操作部に実行させることを特徴とする請求項１乃至８の何れかに記載の画像形成装置。
【請求項１０】
上記表示制御手段は、ジョブ状況として、プリント処理が完了していないジョブの画像情報のファイル名を各ジョブ毎にユーザにより識別可能にする為の情報を含んだ表示を上記操作部に実行させることを特徴とする請求項１乃至９の何れかに記載の画像形成装置。
【請求項１１】
上記画像形成装置は、
所定の通信媒体を介してホストコンピュータから送信されたページ記述言語により記述されたコード情報をビットマップ展開した画像情報を上記記憶手段を介してプリントさせるＰＤＬプリントジョブを受付可能とし、
上記表示制御手段は、ジョブ状況として、プリント処理が完了していないＰＤＬプリントジョブのホストコンピュータのホスト名またはユーザ名をユーザにより識別可能にする為の情報を含んだ表示を上記操作部に実行させることを特徴とする請求項１乃至１０の何れかに記載の画像形成装置。
【請求項１２】
上記画像形成装置は、
所定の通信回線を介してファクシミリ受信される画像情報を上記記憶手段を介してプリントさせるファクシミリプリントジョブを受付可能とし、
上記表示制御手段は、ジョブ状況として、プリント処理が完了していないファクシミリプリントジョブの送信元のファクシミリ番号をユーザにより識別可能にする為の情報を含んだ表示を上記操作部に実行させることを特徴とする請求項１乃至１１の何れかに記載の画像形成装置。
【請求項１３】
上記表示制御手段は、ジョブ状況として、プリント処理が完了していないプリントジョブが上記記憶手段をどれだけ使用しているかを各ジョブ毎にユーザにより識別可能にする為の情報を含んだ表示を上記操作部に実行させることを特徴とする請求項１乃至１２の何れかに記載の画像形成装置。
【請求項１４】
上記表示制御手段は、ジョブ状況として、プリント処理が完了していないプリントジョブのページ数や処理モードを各ジョブ毎にユーザにより識別可能にする為の情報、及び、プリント処理が完了していないプリントジョブの受付番号を各ジョブ毎にユーザにより識別可能にする為の情報の、少なくとも何れかの情報を含んだ表示を上記操作部に実行させることを特徴とする請求項１乃至１３の何れかに記載の画像形成装置。
【請求項１５】
上記表示制御手段は、
ジョブ履歴として、プリント処理が終了済みのジョブの受付時間を各ジョブ毎にユーザにより識別可能にする為の情報を含んだ表示を上記操作部に実行させることを特徴とする請求項１乃至１４の何れかに記載の画像形成装置。
【請求項１６】
上記表示制御手段は、
ジョブ履歴として、プリント処理が終了済みのジョブの処理終了時間を各ジョブ毎にユーザにより識別可能にする為の情報を含んだ表示を上記操作部に実行させることを特徴とする請求項１乃至１５の何れかに記載の画像形成装置。
【請求項１７】
上記表示制御手段は、
ジョブ履歴として、プリント処理が終了済みのジョブの実行結果を各ジョブ毎にユーザにより識別可能にする為の情報を含んだ表示を上記操作部に実行させることを特徴とする請求項１乃至１６の何れかに記載の画像形成装置。
【請求項１８】
上記画像形成装置は、コピー機能及びプリント機能及びファクシミリ機能の少なくとも何れかの機能を含む複数の機能を具備し、互いに異なる機能の複数のプリントジョブを受付可能とし、
上記表示制御手段は、ジョブ履歴として、プリント処理が終了済みのジョブが上記複数の機能の何れかの機能であるかを各ジョブ毎にユーザにより識別可能にする為の情報を含んだ表示を上記操作部に実行させることを特徴とする請求項１乃至１７の何れかに記載の画像形成装置。
【請求項１９】
上記表示制御手段は、ジョブ履歴として、プリント処理が終了済みのジョブの画像情報のファイル名を各ジョブ毎にユーザにより識別可能にする為の情報を含んだ表示を上記操作部に実行させることを特徴とする請求項１乃至１８の何れかに記載の画像形成装置。
【請求項２０】
上記画像形成装置は、
所定の通信媒体を介してホストコンピュータから送信されたページ記述言語により記述されたコード情報をビットマップ展開した画像情報を上記記憶手段を介してプリントさせるＰＤＬプリントジョブを受付可能とし、
上記表示制御手段は、ジョブ履歴として、プリント処理が終了済みのＰＤＬプリントジョブのホストコンピュータのホスト名またはユーザ名をユーザにより識別可能にする為の情報を含んだ表示を上記操作部に実行させることを特徴とする請求項１乃至１９の何れかに記載の画像形成装置。
【請求項２１】
上記画像形成装置は、
所定の通信回線を介してファクシミリ受信される画像情報を上記記憶手段を介してプリントさせるファクシミリプリントジョブを受付可能とし、
上記表示制御手段は、ジョブ履歴として、プリント処理が終了済みのファクシミリプリントジョブの送信元のファクシミリ番号をユーザにより識別可能にする為の情報を含んだ表示を上記操作部に実行させることを特徴とする請求項１乃至１９の何れかに記載の画像形成装置。
【請求項２２】
画像情報を記録媒体にプリントさせるプリントジョブを複数受付可能とし、且つ、各プリントジョブの画像情報を含む複数の画像情報を記憶可能な記憶手段を有する画像形成装置であって、
上記記憶手段に記憶された画像情報のプリント処理、及び、上記記憶手段に記憶された画像情報の消去処理の、少なくとも何れかの処理を含む、上記記憶手段に記憶された画像情報に対する処理を行うにあたり、ユーザによりパスワードを入力させる為の第１の表示を操作部に実行させる表示制御手段を有し、
上記表示制御手段は、
上記第１の表示を介してパスワードが入力されたうえで、前記記憶手段に記憶されている複数の画像情報の中から処理すべき画像情報をユーザにより複数選択可能にする為の第２の表示を上記操作部に実行させ、
更に、上記表示制御手段は、
上記第１の表示を介してパスワードが入力され、且つ、上記第２の表示を介して複数の画像情報が選択されたうえで、該選択された複数の画像情報のプリント処理を一括して実行させる指示をユーザにより入力可能にする為の第３の表示を上記操作部に実行させ、
上記画像形成装置は、
上記第１の表示を介してパスワードが入力され、且つ、上記第２の表示を介して複数の画像情報が選択され、且つ、上記第３の表示を介して上記指示が入力されたうえで、上記記憶手段の該選択された複数の画像情報のプリント処理を一括して実行可能にする為の制御手段とを有することを特徴とする画像形成装置。
【請求項２３】
画像情報を記録媒体にプリントさせるプリントジョブを複数受付可能とし、且つ、各プリントジョブの画像情報を含む複数の画像情報を記憶可能な記憶手段を有する画像形成装置であって、
上記記憶手段に記憶された画像情報のプリント処理、及び、上記記憶手段に記憶された画像情報の消去処理の、少なくとも何れかの処理を含む、上記記憶手段に記憶された画像情報に対する処理を行うにあたり、ユーザによりパスワードを入力させる為の第１の表示を操作部に実行させる表示制御手段を有し、
上記表示制御手段は、
上記第１の表示を介してパスワードが入力されたうえで、前記記憶手段に記憶されている複数の画像情報の中から処理すべき画像情報をユーザにより複数選択可能にする為の第２の表示を上記操作部に実行させ、
更に、上記表示制御手段は、
上記第１の表示を介してパスワードが入力され、且つ、上記第２の表示を介して複数の画像情報が選択されたうえで、該選択された複数の画像情報のプリント処理を一括して実行させる第１指示をユーザにより入力可能にする為の第３の表示を上記操作部に実行させ、
上記画像形成装置は、
上記第１の表示を介してパスワードが入力され、且つ、上記第２の表示を介して複数の画像情報が選択され、且つ、上記第３の表示を介して上記第１指示が入力されたうえで、上記記憶手段の該選択された複数の画像情報のプリント処理を一括して実行可能にする制御手段とを有し、
更に、上記表示制御手段は、
上記第１の表示を介してパスワードが入力され、且つ、上記第２の表示を介して複数の画像情報が選択されたうえで、該選択された複数の画像情報の消去処理を一括して実行させる第２指示をユーザにより入力可能にする為の第４の表示を上記操作部に実行させ、
上記制御手段は、
上記第１の表示を介してパスワードが入力され、且つ、上記第２の表示を介して複数の画像情報が選択され、且つ、上記第４の表示を介して上記第２指示が入力されたうえで、上記記憶手段の該選択された複数の画像情報の消去処理を一括して実行可能にする、ことを特徴とする画像形成装置。
【請求項２４】
上記画像形成装置は、上記記憶手段の一部の記憶領域が互いに複数の画像情報を記憶可能な複数のボックスとして利用される該ボックスに格納された画像情報を処理可能なボックス機能を具備し、
上記表示制御手段は、
上記複数のボックスの中から何れのボックスを選択可能にする為のボックス選択表示を上記操作部に実行させ、
上記ボックス選択表示を介してボックスが選択されたうえで、上記第１の表示を上記操作部に実行させ、
上記ボックス選択表示を介してボックスが選択され、且つ、該選択されたボックスの為のパスワードが上記第１の表示を介して入力されたうえで、該選択されたボックスに関連付けられている複数の画像情報の中から処理すべき画像情報を複数選択可能にする為の表示を、上記第２の表示として、上記操作部に実行させる、ことを特徴とする請求項２２又は２３記載の画像形成装置。
【請求項２５】
上記制御手段は、上記第２の表示として、各画像情報の上記記憶手段に対する記憶日時を各画像情報毎にユーザにより識別可能にする為の識別情報、及び、各画像情報のファイル名を各画像情報毎にユーザにより識別可能にする為の識別情報の、少なくとも何れかの識別情報を有する画像情報の識別情報を含んだ表示を、上記操作部に実行させる、ことを特徴とする請求項２２乃至２４の何れかに記載の画像形成装置。
【請求項２６】
上記記憶手段に、スキャナで読取った原稿データに基づいた画像情報、及び、ホストコンピュータで生成したデータに基づいた画像情報、の少なくとも何れの画像情報を記憶可能にすることを特徴とする請求項２２乃至２５の何れかに記載の画像形成装置。
【請求項２７】
上記制御手段は、上記第２の表示を介して選択された画像情報のプリント処理を実行したうえで、上記記憶手段の該選択された画像情報の消去処理を実行可能にする、ことを特徴とする請求項２２乃至２６の何れかに記載の画像形成装置。
【請求項２８】
画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、
上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行可能にし、
上記第１の表示を操作部に実行させたうえで上記複数のプリントジョブの中から何れかのプリントジョブをユーザにより選択可能にする為の第２の表示を上記操作部に実行可能にし、
上記第１の表示を上記操作部に実行させ、且つ、上記第２の表示を介してプリントジョブが選択されたうえで、該選択されたプリントジョブのプリント処理を他のプリントジョブに優先して実行させる指示をユーザにより入力可能にする為の第３の表示を上記操作部に実行可能にし、
上記第１の表示がなされ、且つ、上記第２の表示を介して上記第３ジョブが選択され、且つ、上記第３の表示を介して上記指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にし、
上記第１の表示がなされ、且つ、上記第２の表示を介して上記第３ジョブが選択され、且つ、上記第３の表示を介して上記指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にすることを特徴とする画像形成装置の制御方法。
【請求項２９】
画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、
上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行可能にし、
上記第１の表示を上記操作部に実行させたうえで上記複数のプリントジョブの中から何れかのプリントジョブをユーザにより選択可能にする為の第２の表示を上記操作部に実行可能にし、
上記第１の表示を操作部に実行させ、且つ、上記第２の表示を介してプリントジョブが選択されたうえで、該選択されたプリントジョブのプリント処理を他のプリントジョブに優先して実行させる第１指示をユーザにより入力可能にする為の第３の表示を上記操作部に実行可能にし、
上記第１の表示がなされ、且つ、上記第２の表示を介して上記第３ジョブが選択され、且つ、上記第３の表示を介して上記第１指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にし、
上記第１の表示がなされ、且つ、上記第２の表示を介して上記第３ジョブが選択され、且つ、上記第３の表示を介して上記第１指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にし、
上記第１の表示を操作部に実行させ、且つ、上記第２の表示を介してプリントジョブが選択されたうえで、該選択されたプリントジョブのプリント処理を中止させる第２指示をユーザにより入力可能にする為の第４の表示を上記操作部に実行可能にし、
上記第１の表示がなされ、且つ、上記第２の表示を介してプリントジョブが選択され、且つ、上記第４の表示を介して上記第２指示が入力された場合に、プリント処理が完了していない上記複数のプリントジョブのうちの、上記第２の表示を介して選択されていないプリントジョブのプリント処理は中止せずに、上記第２の表示を介して選択されたプリントジョブのプリント処理を中止可能にし、
上記第１の表示がなされ、且つ、上記第２の表示を介してプリントジョブが選択され、且つ、上記第４の表示を介して上記第２指示が入力されたうえで、該選択されたプリントジョブのプリント処理を中止する場合に、該選択されたプリントジョブの情報を上記操作部における上記第１の表示から消去可能にすることを特徴とする画像形成装置の制御方法。
【請求項３０】
画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、
上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブ、及び、該第３ジョブの後にプリント処理を実行すべきプリント待ち状態の第４ジョブを含む、プリント処理が完了していない互いに独立した複数のプリントジョブのジョブ状況として、上記第１ジョブがプリント中であり且つ上記第２ジョブ及び上記第３ジョブ及び上記第４ジョブが夫々プリント待ち状態であることを各ジョブ毎にユーザにより識別可能にし、且つ、これらのジョブのプリント順序をユーザにより識別可能にする為の第１の表示を操作部に実行可能にし、
上記第１の表示を操作部に実行させたうえで上記複数のプリントジョブの中から何れかのプリントジョブをユーザにより複数選択可能にする為の第２の表示を上記操作部に実行可能にし、
上記第１の表示を上記操作部に実行させ、且つ、上記第２の表示を介して複数のプリントジョブが選択されたうえで、該選択された複数のプリントジョブのプリント処理を他のプリントジョブに優先して実行させる指示をユーザにより入力可能にする為の第３の表示を上記操作部に実行可能にし、
上記第１の表示がなされ、且つ、上記第２の表示を介して上記第３ジョブ及び上記第４ジョブが選択され、且つ、上記第３の表示を介して上記指示が入力された場合に、上記プリント中の第１ジョブのプリント処理は中断せずに、該第３ジョブのプリント処理と該第４ジョブのプリント処理を、上記第１ジョブのプリント処理が完了してから上記記第２ジョブのプリント処理を開始する前に連続的に実行可能にし、
上記第１の表示がなされ、且つ、上記第２の表示を介して上記第３ジョブ及び上記第４ジョブが選択され、且つ、上記第３の表示を介して上記指示が入力されたうえで、上記第３ジョブのプリント処理と上記第４ジョブのプリント処理を、上記第１ジョブのプリント処理が完了してから上記記第２ジョブのプリント処理を開始する前に、連続的に実行する場合に、該第３ジョブのプリント処理と上記第４ジョブのプリント処理とが上記第１ジョブのプリント処理の完了後で且つ上記第２ジョブのプリント処理の開始前に連続的に実行されることをユーザにより識別出来るように、上記操作部の上記第１の表示におけるプリント順序に関する表示内容を変更可能にすることを特徴とする画像形成装置の制御方法。
【請求項３１】
画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、
上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブ、及び、該第３ジョブの後にプリント処理を実行すべきプリント待ち状態の第４ジョブを含む、プリント処理が完了していない互いに独立した複数のプリントジョブのジョブ状況として、上記第１ジョブがプリント中であり且つ上記第２ジョブ及び上記第３ジョブ及び上記第４ジョブが夫々プリント待ち状態であることを各ジョブ毎にユーザにより識別可能にし、且つ、これらのジョブのプリント順序をユーザにより識別可能にする為の第１の表示を操作部に実行可能にし、
上記第１の表示を操作部に実行させたうえで上記複数のプリントジョブの中から何れかのプリントジョブをユーザにより複数選択可能にする為の第２の表示を上記操作部に実行可能にし、
上記第１の表示を上記操作部に実行させ、且つ、上記第２の表示を介して複数のプリントジョブが選択されたうえで、該選択された複数のプリントジョブのプリント処理を他のプリントジョブに優先して実行させる第１指示をユーザにより入力可能にする為の第３の表示を上記操作部に実行可能にし、
上記第１の表示がなされ、且つ、上記第２の表示を介して上記第３ジョブ及び上記第４ジョブが選択され、且つ、上記第３の表示を介して上記第１指示が入力された場合に、上記プリント中の第１ジョブのプリント処理は中断せずに、該第３ジョブのプリント処理と該第４ジョブのプリント処理を、上記第１ジョブのプリント処理が完了してから上記記第２ジョブのプリント処理を開始する前に、連続的に実行可能にし、
上記第１の表示がなされ、且つ、上記第２の表示を介して上記第３ジョブ及び上記第４ジョブが選択され、且つ、上記第３の表示を介して上記第１指示が入力されたうえで、上記第３ジョブのプリント処理と上記第４ジョブのプリント処理を、上記第１ジョブのプリント処理が完了してから上記記第２ジョブのプリント処理を開始する前に、連続的に実行する場合に、該第３ジョブのプリント処理と上記第４ジョブのプリント処理とが上記第１ジョブのプリント処理の完了後で且つ上記第２ジョブのプリント処理の開始前に連続的に実行されることをユーザにより識別出来るように、上記操作部の上記第１の表示におけるプリント順序に関する表示内容を変更可能にし、
上記第１の表示を操作部に実行させ、且つ、上記第２の表示を介して複数のプリントジョブが選択されたうえで、該選択された複数のプリントジョブのプリント処理を中止させる第２指示をユーザにより入力可能にする為の第４の表示を上記操作部に実行可能し、
上記第１の表示がなされ、且つ、上記第２の表示を介して複数のプリントジョブが選択され、且つ、上記第４の表示を介して上記第２指示が入力された場合に、プリント処理が完了していない上記複数のプリントジョブのうちの、上記第２の表示を介して選択されていないプリントジョブのプリント処理は中止せずに、上記第２の表示を介して選択された複数のプリントジョブのプリント処理を中止可能にし、
上記第１の表示がなされ、且つ、上記第２の表示を介して複数のプリントジョブが選択され、且つ、上記第４の表示を介して上記第２指示が入力されたうえで、該選択された複数のプリントジョブのプリント処理を中止する場合に、該選択された複数のプリントジョブの情報を上記操作部における上記第１の表示から消去可能にすることを特徴とする画像形成装置の制御方法。
【請求項３２】
画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、
上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行可能にし、
上記第１の表示を上記操作部に実行させたうえで上記複数のプリントジョブの中から何れかのプリントジョブをユーザにより選択可能にする為の第２の表示を上記操作部に実行可能にし、
上記第１の表示を操作部に実行させ、且つ、上記第２の表示を介してプリントジョブが選択されたうえで、該選択されたプリントジョブのプリント処理を他のプリントジョブに優先して実行させる第１指示をユーザにより入力可能にする為の第３の表示を上記操作部に実行可能にし、
上記第１の表示がなされ、且つ、上記第２の表示を介して上記第３ジョブが選択され、且つ、上記第３の表示を介して上記第１指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にし、
上記第１の表示がなされ、且つ、上記第２の表示を介して上記第３ジョブが選択され、且つ、上記第３の表示を介して上記第１指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にし、
上記第１の表示を上記操作部に実行させると共に、上記画像形成装置にてプリント処理が終了済みの互いに独立した複数のプリントジョブのジョブ履歴を上記操作部に表示させる第２指示をユーザにより入力可能にする為の第４の表示を上記操作部に実行可能にし、
上記第１の表示を上記操作部に実行させている場合において上記第４の表示を介して上記第２指示が入力された場合に、上記画像形成装置にてプリント処理が終了済みの互いに独立した複数のプリントジョブの履歴情報を各ジョブ毎にユーザにより識別可能にする為の第５の表示を、上記第１の表示のかわって、上記操作部に実行可能にすることを特徴とする画像形成装置の制御方法。
【請求項３３】
上記第５の表示として、プリント処理が終了済みの各ジョブの履歴情報をリストで示す一覧表示を実行させ、上記一覧表示の中から何れかのプリントジョブをユーザにより選択可能にし、
上記一覧表示の中からプリントジョブが選択されたうえで、該選択されたプリントジョブの履歴に関する詳細情報を上記操作部に表示させる履歴詳細表示指示をユーザにより入力可能にする為の表示を上記操作部に実行させ、
上記一覧表示の中からプリントジョブが選択され、且つ、上記表示を介して上記ジョブ履歴詳細表示指示が入力されたうえで、該一覧表示の中から選択されたプリントジョブの履歴に関する詳細情報を上記操作部に表示可能にすることを特徴とする請求項３２記載の画像形成装置の制御方法。
【請求項３４】
上記第１の表示として、プリント処理が完了していない各ジョブの実行状況をリストで示す一覧表示を上記操作部に実行させ、上記一覧表示の中から何れかのプリントジョブをユーザにより選択可能にし、
上記一覧表示の中からプリントジョブが選択されたうえで、該選択されたプリントジョブの実行状況に関する詳細情報を上記操作部に表示させる状況詳細表示指示をユーザにより入力可能にする為の表示を上記操作部に実行させ、
上記一覧表示の中からプリントジョブが選択され、且つ、上記表示を介して上記状況詳細表示指示が入力されたうえで、該一覧表示の中から選択されたプリントジョブの実行状況に関する詳細情報を上記操作部に表示可能にすることを特徴とする請求項２８乃至３３の何れかに記載の画像形成装置の制御方法。
【請求項３５】
ジョブ状況として、プリント処理が完了していないジョブの受付時間を各ジョブ毎にユーザにより識別可能にする為の情報を含んだ表示を上記操作部に実行させることを特徴とする請求項２８乃至３４の何れかに記載の画像形成装置の制御方法。
【請求項３６】
上記画像形成装置は、コピー機能及びプリント機能及びファクシミリ機能の少なくとも何れかの機能を含む複数の機能を具備し、互いに異なる機能の複数のプリントジョブを受付可能とし、
上記制御方法は、ジョブ状況として、プリント処理が完了していないジョブが上記複数の機能の何れかの機能であるかを各ジョブ毎にユーザにより識別可能にする為の情報を含んだ表示を上記操作部に実行させることを特徴とする請求項２８乃至３５の何れかに記載の画像形成装置の制御方法。
【請求項３７】
ジョブ状況として、プリント処理が完了していないジョブの画像情報のファイル名を各ジョブ毎にユーザにより識別可能にする為の情報を含んだ表示を上記操作部に実行させることを特徴とする請求項２８乃至３６の何れかに記載の画像形成装置の制御方法。
【請求項３８】
上記画像形成装置は、所定の通信媒体を介してホストコンピュータから送信されたページ記述言語により記述されたコード情報をビットマップ展開した画像情報を上記記憶手段を介してプリントさせるＰＤＬプリントジョブを受付可能とし、
上記制御方法は、ジョブ状況として、プリント処理が完了していないＰＤＬプリントジョブのホストコンピュータのホスト名またはユーザ名をユーザにより識別可能にする為の情報を含んだ表示を上記操作部に実行させることを特徴とする請求項２８乃至３７の何れかに記載の画像形成装置の制御方法。
【請求項３９】
上記画像形成装置は、所定の通信回線を介してファクシミリ受信される画像情報を上記記憶手段を介してプリントさせるファクシミリプリントジョブを受付可能とし、
上記制御方法は、ジョブ状況として、プリント処理が完了していないファクシミリプリントジョブの送信元のファクシミリ番号をユーザにより識別可能にする為の情報を含んだ表示を上記操作部に実行させることを特徴とする請求項２８乃至３８の何れかに記載の画像形成装置の制御方法。
【請求項４０】
ジョブ状況として、プリント処理が完了していないプリントジョブが上記記憶手段をどれだけ使用しているかを各ジョブ毎にユーザにより識別可能にする為の情報を含んだ表示を上記操作部に実行させることを特徴とする請求項２８乃至３９の何れかに記載の画像形成装置の制御方法。
【請求項４１】
ジョブ状況として、プリント処理が完了していないプリントジョブのページ数や処理モードを各ジョブ毎にユーザにより識別可能にする為の情報、及び、プリント処理が完了していないプリントジョブの受付番号を各ジョブ毎にユーザにより識別可能にする為の情報の、少なくとも何れかの情報を含んだ表示を上記操作部に実行させることを特徴とする請求項２８乃至４０の何れかに記載の画像形成装置の制御方法。
【請求項４２】
ジョブ履歴として、プリント処理が終了済みのジョブの受付時間を各ジョブ毎にユーザにより識別可能にする為の情報を含んだ表示を上記操作部に実行させることを特徴とする請求項２８乃至４１の何れかに記載の画像形成装置の制御方法。
【請求項４３】
ジョブ履歴として、プリント処理が終了済みのジョブの処理終了時間を各ジョブ毎にユーザにより識別可能にする為の情報を含んだ表示を上記操作部に実行させることを特徴とする請求項２８乃至４２の何れかに記載の画像形成装置の制御方法。
【請求項４４】
ジョブ履歴として、プリント処理が終了済みのジョブの実行結果を各ジョブ毎にユーザにより識別可能にする為の情報を含んだ表示を上記操作部に実行させることを特徴とする請求項２８乃至４３の何れかに記載の画像形成装置の制御方法。
【請求項４５】
上記画像形成装置は、コピー機能及びプリント機能及びファクシミリ機能の少なくとも何れかの機能を含む複数の機能を具備し、互いに異なる機能の複数のプリントジョブを受付可能とし、
上記制御方法は、ジョブ履歴として、プリント処理が終了済みのジョブが上記複数の機能の何れかの機能であるかを各ジョブ毎にユーザにより識別可能にする為の情報を含んだ表示を上記操作部に実行させることを特徴とする請求項２８乃至４４の何れかに記載の画像形成装置の制御方法。
【請求項４６】
ジョブ履歴として、プリント処理が終了済みのジョブの画像情報のファイル名を各ジョブ毎にユーザにより識別可能にする為の情報を含んだ表示を上記操作部に実行させることを特徴とする請求項２８乃至４５の何れかに記載の画像形成装置の制御方法。
【請求項４７】
上記画像形成装置は、所定の通信媒体を介してホストコンピュータから送信されたページ記述言語により記述されたコード情報をビットマップ展開した画像情報を上記記憶手段を介してプリントさせるＰＤＬプリントジョブを受付可能とし、
上記制御方法は、ジョブ履歴として、プリント処理が終了済みのＰＤＬプリントジョブのホストコンピュータのホスト名またはユーザ名をユーザにより識別可能にする為の情報を含んだ表示を上記操作部に実行させることを特徴とする請求項２８乃至４６の何れかに記載の画像形成装置の制御方法。
【請求項４８】
上記画像形成装置は、所定の通信回線を介してファクシミリ受信される画像情報を上記記憶手段を介してプリントさせるファクシミリプリントジョブを受付可能とし、
上記制御方法は、ジョブ履歴として、プリント処理が終了済みのファクシミリプリントジョブの送信元のファクシミリ番号をユーザにより識別可能にする為の情報を含んだ表示を上記操作部に実行させることを特徴とする請求項２８乃至４７の何れかに記載の画像形成装置の制御方法。
【請求項４９】
画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、
上記記憶手段に記憶された画像情報のプリント処理、及び、上記記憶手段に記憶された画像情報の消去処理の、少なくとも何れかの処理を含む、上記記憶手段に記憶された画像情報に対する処理を行うにあたり、ユーザによりパスワードを入力させる為の第１の表示を操作部に実行可能にし、
上記第１の表示を介してパスワードが入力されたうえで、前記記憶手段に記憶されている複数の画像情報の中から処理すべき画像情報をユーザにより複数選択可能にする為の第２の表示を上記操作部に実行可能にし、
上記第１の表示を介してパスワードが入力され、且つ、上記第２の表示を介して複数の画像情報が選択されたうえで、該選択された複数の画像情報のプリント処理を一括して実行させる指示をユーザにより入力可能にする為の第３の表示を上記操作部に実行可能にし、
上記第１の表示を介してパスワードが入力され、且つ、上記第２の表示を介して複数の画像情報が選択され、且つ、上記第３の表示を介して上記指示が入力されたうえで、上記記憶手段の該選択された複数の画像情報のプリント処理を一括して実行可能にすることを特徴とする画像形成装置の制御方法。
【請求項５０】
画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、
上記記憶手段に記憶された画像情報のプリント処理、及び、上記記憶手段に記憶された画像情報の消去処理の、少なくとも何れかの処理を含む、上記記憶手段に記憶された画像情報に対する処理を行うにあたり、ユーザによりパスワードを入力させる為の第１の表示を操作部に実行可能にし、
上記第１の表示を介してパスワードが入力されたうえで、前記記憶手段に記憶されている複数の画像情報の中から処理すべき画像情報をユーザにより複数選択可能にする為の第２の表示を上記操作部に実行可能にし、
上記第１の表示を介してパスワードが入力され、且つ、上記第２の表示を介して複数の画像情報が選択されたうえで、該選択された複数の画像情報のプリント処理を一括して実行させる第１指示をユーザにより入力可能にする為の第３の表示を上記操作部に実行可能にし、
上記第１の表示を介してパスワードが入力され、且つ、上記第２の表示を介して複数の画像情報が選択され、且つ、上記第３の表示を介して上記第１指示が入力されたうえで、上記記憶手段の該選択された複数の画像情報のプリント処理を一括して実行可能にし、
上記第１の表示を介してパスワードが入力され、且つ、上記第２の表示を介して複数の画像情報が選択されたうえで、該選択された複数の画像情報の消去処理を一括して実行させる第２指示をユーザにより入力可能にする為の第４の表示を上記操作部に実行可能にし、
上記第１の表示を介してパスワードが入力され、且つ、上記第２の表示を介して複数の画像情報が選択され、且つ、上記第４の表示を介して上記第２指示が入力されたうえで、上記記憶手段の該選択された複数の画像情報の消去処理を一括して実行可能にすることを特徴とする画像形成装置の制御方法。
【請求項５１】
上記画像形成装置は、上記記憶手段の一部の記憶領域が互いに複数の画像情報を記憶可能な複数のボックスとして利用される該ボックスに格納された画像情報を処理可能なボックス機能を具備し、
上記制御方法は、
上記複数のボックスの中から何れのボックスを選択可能にする為のボックス選択表示を上記操作部に実行させ、
上記ボックス選択表示を介してボックスが選択されたうえで、上記第１の表示を上記操作部に実行させ、
上記ボックス選択表示を介してボックスが選択され、且つ、該選択されたボックスの為のパスワードが上記第１の表示を介して入力されたうえで、該選択されたボックスに関連付けられている複数の画像情報の中から処理すべき画像情報を複数選択可能にする為の表示を、上記第２の表示として、上記操作部に実行させることを特徴とする請求項４９又は５０記載の画像形成装置の制御方法。
【請求項５２】
上記第２の表示として、各画像情報の上記記憶手段に対する記憶日時を各画像情報毎にユーザにより識別可能にする為の識別情報、及び、各画像情報のファイル名を各画像情報毎にユーザにより識別可能にする為の識別情報の、少なくとも何れかの識別情報を有する画像情報の識別情報を含んだ表示を、上記操作部に実行させる、ことを特徴とする請求項４９乃至５１の何れかに記載の画像形成装置の制御方法。
【請求項５３】
上記記憶手段に、スキャナで読取った原稿データに基づいた画像情報、及び、ホストコンピュータで生成したデータに基づいた画像情報、の少なくとも何れの画像情報を記憶可能にすることを特徴とする請求項４９乃至５２の何れかに記載の画像形成装置の制御方法。
【請求項５４】
上記第２の表示を介して選択された画像情報のプリント処理を実行したうえで、上記記憶手段の該選択された画像情報の消去処理を実行可能にする、ことを特徴とする請求項４９乃至５３の何れかに記載の画像形成装置の制御方法。
【発明の詳細な説明】
【０００１】
【発明の属する技術分野】
本発明は、入力される画像情報を複数記憶し、記憶されたいずれかの画像情報を読み出して画像形成手段により記録媒体に画像形成処理させる画像形成ジョブを複数記憶し、記憶される前記複数の画像形成ジョブを順次実行制御する複数の画像形成ジョブを受け付け可能な画像形成装置及び画像形成装置の制御方法に関するものである。
【０００２】
【従来の技術】
従来、スキャナから読み取った画像データや、ホストコンピュータからネットワークを介して送られたＰＤＬデータをビットマップに展開した画像データを複写機内のハードディスクなどのメモリに一旦記憶し、そのメモリから任意の原稿の画像データを繰り返し読み出してプリントアウトする機能を備えた画像形成装置、例えばデジタル複写機が提案されている。
【０００３】
このように、従来のデジタル複写機は記憶容量の大きいハードディスクなどのメモリを搭載することで、コピー，ファクシミリ，ＰＤＬプリント等のジョブを複数同時に受け付けて画像をメモリ内に蓄積し、順次プリントアウトしたり、大量部コピーなど時間のかかるジョブがプリンタを占有しているときでも複数のジョブをメモリ内に蓄積することで、ユーザを待たせることなく複数のジョブを受け付けることができるように構成されている。
【０００４】
さらに、機密書類など他人に見られたくない書類のコピーやプリントアウトを行うために、画像データを一旦画像形成装置のメモリ上のユーザ個人の領域に記憶させ、複写機の操作パネルからユーザパスワードを入力して画像を出力するパーソナルボックス機能が実現されている。
【０００５】
このパーソナルボックス機能により、ユーザはデジタル複写機から離れた位置にあるホストコンピュータから機密書類をプリントアウトする場合でも、デジタル複写機の前まで行ってから用紙に出力することを指示できるので、他の人に内容を見られることなくプリントアウトすることができる。さらに、機密書類でなくとも画像データをメモリに蓄積させておくことにより、必要な時に必要な部数の出力を得ることができる。
【０００６】
従来の画像形成装置では上記の機能を実施するために、パーソナルボックスに蓄積されているドキュメントの出力指示や消去指示、画像メモリ上にスプールされているプリントジョブのキャンセル指示を複写機の操作パネルから行える様に構成されている。
【０００７】
【発明が解決しようとする課題】
しかしながら、上記従来の画像形成装置は複数のジョブを受け付けることが可能となったために、ユーザは今どのユーザが発行したどの種類のジョブを複写機が実行しているか、また自分の発行したジョブが今どのような状況であるかを知ることが非常に困難であるという問題点があった。
【０００８】
また、ジョブ実行途中にそのジョブを他のユーザによってキャンセルされてしまったり、何らかの理由でジョブが正常に終了しなかった場合に、ユーザは自分のジョブがどのような結果に終わったのかを知ることができないという問題点があった。
【０００９】
さらに、従来の複写機の操作パネルは複数ジョブを同時に操作することに対応しておらず、パーソナルボックスに蓄積されているドキュメントの出力指示や消去指示，画像メモリ上にスプールされているプリントジョブのキャンセル指示等を一つのドキュメント毎，一つのジョブ毎にしか指示できないため、複数ジョブに同時に指示する操作ができないという問題点があった。
【００１０】
本発明は、上記の問題点を解決するためになされたもので、複数の画像ジョブの実行状況および過去に行った記憶される画像ジョブの実行履歴を表示制御することにより、入力されている画像形成ジョブおよび過去に行われた画像形成ジョブの状況を容易に把握すること、複数の画像形成ジョブに対して所定の処理を指示する際に、同様な指示を繰り返すことなく、複数の画像形成ジョブに対して所定の処理を一括指示でき、ユーザの操作環境を格段に向上できる画像形成装置および画像形成装置の制御方法を提供することである。
【００１１】
【課題を解決するための手段】
本発明は、画像情報を記録媒体にプリントさせるプリントジョブを複数受付可能とし、且つ、各プリントジョブの画像情報を含む複数の画像情報を記憶可能な記憶手段を有する画像形成装置であって、上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行させる表示制御手段を有し、上記表示制御手段は、上記第１の表示を操作部に実行させたうえで上記複数のプリントジョブの中から何れかのプリントジョブをユーザにより選択可能にする為の第２の表示を上記操作部に実行させ、更に、上記表示制御手段は、上記第１の表示を上記操作部に実行させ、且つ、上記第２の表示を介してプリントジョブが選択されたうえで、該選択されたプリントジョブのプリント処理を他のプリントジョブに優先して実行させる指示をユーザにより入力可能にする為の第３の表示を上記操作部に実行させ、
上記画像形成装置は、上記第１の表示がなされ、且つ、上記第２の表示を介して上記第３ジョブが選択され、且つ、上記第３の表示を介して上記指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にする為の制御手段を有し、上記表示制御手段は、上記第１の表示がなされ、且つ、上記第２の表示を介して上記第３ジョブが選択され、且つ、上記第３の表示を介して上記指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にする、ことを特徴とする。
【００１２】
また、本発明は、画像情報を記録媒体にプリントさせるプリントジョブを複数受付可能とし、且つ、各プリントジョブの画像情報を含む複数の画像情報を記憶可能な記憶手段を有する画像形成装置であって、上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行させる表示制御手段を有し、上記表示制御手段は、上記第１の表示を上記操作部に実行させたうえで上記複数のプリントジョブの中から何れかのプリントジョブをユーザにより選択可能にする為の第２の表示を上記操作部に実行させ、更に、上記表示制御手段は、上記第１の表示を操作部に実行させ、且つ、上記第２の表示を介してプリントジョブが選択されたうえで、該選択されたプリントジョブのプリント処理を他のプリントジョブに優先して実行させる第１指示をユーザにより入力可能にする為の第３の表示を上記操作部に実行させ、上記画像形成装置は、上記第１の表示がなされ、且つ、上記第２の表示を介して上記第３ジョブが選択され、且つ、上記第３の表示を介して上記第１指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にする為の制御手段を有し、上記表示制御手段は、上記第１の表示がなされ、且つ、上記第２の表示を介して上記第３ジョブが選択され、且つ、上記第３の表示を介して上記第１指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にし、更に、上記表示制御手段は、上記第１の表示を操作部に実行させ、且つ、上記第２の表示を介してプリントジョブが選択されたうえで、該選択されたプリントジョブのプリント処理を中止させる第２指示をユーザにより入力可能にする為の第４の表示を上記操作部に実行させ、上記制御手段は、上記第１の表示がなされ、且つ、上記第２の表示を介してプリントジョブが選択され、且つ、上記第４の表示を介して上記第２指示が入力された場合に、プリント処理が完了していない上記複数のプリントジョブのうちの、上記第２の表示を介して選択されていないプリントジョブのプリント処理は中止せずに、上記第２の表示を介して選択されたプリントジョブのプリント処理を中止可能に制御し、上記表示制御手段は、上記第１の表示がなされ、且つ、上記第２の表示を介してプリントジョブが選択され、且つ、上記第４の表示を介して上記第２指示が入力されたうえで、該選択されたプリントジョブのプリント処理を中止する場合に、該選択されたプリントジョブの情報を上記操作部における上記第１の表示から消去可能にする、ことを特徴とする。
【００１３】
さらに、本発明は、画像情報を記録媒体にプリントさせるプリントジョブを複数受付可能とし、且つ、各プリントジョブの画像情報を含む複数の画像情報を記憶可能な記憶手段を有する画像形成装置であって、上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブ、及び、該第３ジョブの後にプリント処理を実行すべきプリント待ち状態の第４ジョブを含む、プリント処理が完了していない互いに独立した複数のプリントジョブのジョブ状況として、上記第１ジョブがプリント中であり且つ上記第２ジョブ及び上記第３ジョブ及び上記第４ジョブが夫々プリント待ち状態であることを各ジョブ毎にユーザにより識別可能にし、且つ、これらのジョブのプリント順序をユーザにより識別可能にする為の第１の表示を操作部に実行させる表示制御手段を有し、上記表示制御手段は、上記第１の表示を操作部に実行させたうえで上記複数のプリントジョブの中から何れかのプリントジョブをユーザにより複数選択可能にする為の第２の表示を上記操作部に実行させ、更に、上記表示制御手段は、上記第１の表示を上記操作部に実行させ、且つ、上記第２の表示を介して複数のプリントジョブが選択されたうえで、該選択された複数のプリントジョブのプリント処理を他のプリントジョブに優先して実行させる指示をユーザにより入力可能にする為の第３の表示を上記操作部に実行させ、上記画像形成装置は、上記第１の表示がなされ、且つ、上記第２の表示を介して上記第３ジョブ及び上記第４ジョブが選択され、且つ、上記第３の表示を介して上記指示が入力された場合に、上記プリント中の第１ジョブのプリント処理は中断せずに、該第３ジョブのプリント処理と該第４ジョブのプリント処理を、上記第１ジョブのプリント処理が完了してから上記記第２ジョブのプリント処理を開始する前に、連続的に、実行可能にする為の制御手段を有し、上記表示制御手段は、上記第１の表示がなされ、且つ、上記第２の表示を介して上記第３ジョブ及び上記第４ジョブが選択され、且つ、上記第３の表示を介して上記指示が入力されたうえで、上記第３ジョブのプリント処理と上記第４ジョブのプリント処理を、上記第１ジョブのプリント処理が完了してから上記記第２ジョブのプリント処理を開始する前に、連続的に実行する場合に、該第３ジョブのプリント処理と上記第４ジョブのプリント処理とが上記第１ジョブのプリント処理の完了後で且つ上記第２ジョブのプリント処理の開始前に連続的に実行されることをユーザにより識別出来るように、上記操作部の上記第１の表示におけるプリント順序に関する表示内容を変更可能にする、ことを特徴とする。
【００１４】
さらに、本発明は、画像情報を記録媒体にプリントさせるプリントジョブを複数受付可能とし、且つ、各プリントジョブの画像情報を含む複数の画像情報を記憶可能な記憶手段を有する画像形成装置であって、上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブ、及び、該第３ジョブの後にプリント処理を実行すべきプリント待ち状態の第４ジョブを含む、プリント処理が完了していない互いに独立した複数のプリントジョブのジョブ状況として、上記第１ジョブがプリント中であり且つ上記第２ジョブ及び上記第３ジョブ及び上記第４ジョブが夫々プリント待ち状態であることを各ジョブ毎にユーザにより識別可能にし、且つ、これらのジョブのプリント順序をユーザにより識別可能にする為の第１の表示を操作部に実行させる表示制御手段を有し、上記表示制御手段は、上記第１の表示を操作部に実行させたうえで上記複数のプリントジョブの中から何れかのプリントジョブをユーザにより複数選択可能にする為の第２の表示を上記操作部に実行させ、更に、上記表示制御手段は、上記第１の表示を上記操作部に実行させ、且つ、上記第２の表示を介して複数のプリントジョブが選択されたうえで、該選択された複数のプリントジョブのプリント処理を他のプリントジョブに優先して実行させる第１指示をユーザにより入力可能にする為の第３の表示を上記操作部に実行させ、上記画像形成装置は、上記第１の表示がなされ、且つ、上記第２の表示を介して上記第３ジョブ及び上記第４ジョブが選択され、且つ、上記第３の表示を介して上記第１指示が入力された場合に、上記プリント中の第１ジョブのプリント処理は中断せずに、該第３ジョブのプリント処理と該第４ジョブのプリント処理を、上記第１ジョブのプリント処理が完了してから上記記第２ジョブのプリント処理を開始する前に、連続的に、実行可能にする為の制御手段を有し、上記表示制御手段は、上記第１の表示がなされ、且つ、上記第２の表示を介して上記第３ジョブ及び上記第４ジョブが選択され、且つ、上記第３の表示を介して上記第１指示が入力されたうえで、上記第３ジョブのプリント処理と上記第４ジョブのプリント処理を、上記第１ジョブのプリント処理が完了してから上記記第２ジョブのプリント処理を開始する前に、連続的に実行する場合に、該第３ジョブのプリント処理と上記第４ジョブのプリント処理とが上記第１ジョブのプリント処理の完了後で且つ上記第２ジョブのプリント処理の開始前に連続的に実行されることをユーザにより識別出来るように、上記操作部の上記第１の表示におけるプリント順序に関する表示内容を変更可能にし、更に、上記表示制御手段は、上記第１の表示を操作部に実行させ、且つ、上記第２の表示を介して複数のプリントジョブが選択されたうえで、該選択された複数のプリントジョブのプリント処理を中止させる第２指示をユーザにより入力可能にする為の第４の表示を上記操作部に実行させ、上記制御手段は、上記第１の表示がなされ、且つ、上記第２の表示を介して複数のプリントジョブが選択され、且つ、上記第４の表示を介して上記第２指示が入力された場合に、プリント処理が完了していない上記複数のプリントジョブのうちの、上記第２の表示を介して選択されていないプリントジョブのプリント処理は中止せずに、上記第２の表示を介して選択された複数のプリントジョブのプリント処理を中止可能に制御し、上記表示制御手段は、上記第１の表示がなされ、且つ、上記第２の表示を介して複数のプリントジョブが選択され、且つ、上記第４の表示を介して上記第２指示が入力されたうえで、該選択された複数のプリントジョブのプリント処理を中止する場合に、該選択された複数のプリントジョブの情報を上記操作部における上記第１の表示から消去可能にする、ことを特徴とする。
【００１５】
さらに、本発明は、画像情報を記録媒体にプリントさせるプリントジョブを複数受付可能とし、且つ、各プリントジョブの画像情報を含む複数の画像情報を記憶可能な記憶手段を有する画像形成装置であって、上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行させる表示制御手段を有し、上記表示制御手段は、上記第１の表示を上記操作部に実行させたうえで上記複数のプリントジョブの中から何れかのプリントジョブをユーザにより選択可能にする為の第２の表示を上記操作部に実行させ、更に、上記表示制御手段は、上記第１の表示を操作部に実行させ、且つ、上記第２の表示を介してプリントジョブが選択されたうえで、該選択されたプリントジョブのプリント処理を他のプリントジョブに優先して実行させる第１指示をユーザにより入力可能にする為の第３の表示を上記操作部に実行させ、上記画像形成装置は、上記第１の表示がなされ、且つ、上記第２の表示を介して上記第３ジョブが選択され、且つ、上記第３の表示を介して上記第１指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にする為の制御手段を有し、上記表示制御手段は、上記第１の表示がなされ、且つ、上記第２の表示を介して上記第３ジョブが選択され、且つ、上記第３の表示を介して上記第１指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にし、更に、上記表示制御手段は、上記第１の表示を上記操作部に実行させると共に、上記画像形成装置にてプリント処理が終了済みの互いに独立した複数のプリントジョブのジョブ履歴を上記操作部に表示させる第２指示をユーザにより入力可能にする為の第４の表示を上記操作部に実行させ、該表示制御手段は、上記第１の表示を上記操作部に実行させている場合において上記第４の表示を介して上記第２指示が入力された場合に、上記画像形成装置にてプリント処理が終了済みの互いに独立した複数のプリントジョブの履歴情報を各ジョブ毎にユーザにより識別可能にする為の第５の表示を、上記第１の表示のかわって、上記操作部に実行可能にする、ことを特徴とする。
【００１６】
また、本発明は、画像情報を記録媒体にプリントさせるプリントジョブを複数受付可能とし、且つ、各プリントジョブの画像情報を含む複数の画像情報を記憶可能な記憶手段を有する画像形成装置であって、上記記憶手段に記憶された画像情報のプリント処理、及び、上記記憶手段に記憶された画像情報の消去処理の、少なくとも何れかの処理を含む、上記記憶手段に記憶された画像情報に対する処理を行うにあたり、ユーザによりパスワードを入力させる為の第１の表示を操作部に実行させる表示制御手段を有し、上記表示制御手段は、上記第１の表示を介してパスワードが入力されたうえで、前記記憶手段に記憶されている複数の画像情報の中から処理すべき画像情報をユーザにより複数選択可能にする為の第２の表示を上記操作部に実行させ、更に、上記表示制御手段は、上記第１の表示を介してパスワードが入力され、且つ、上記第２の表示を介して複数の画像情報が選択されたうえで、該選択された複数の画像情報のプリント処理を一括して実行させる指示をユーザにより入力可能にする為の第３の表示を上記操作部に実行させ、上記画像形成装置は、上記第１の表示を介してパスワードが入力され、且つ、上記第２の表示を介して複数の画像情報が選択され、且つ、上記第３の表示を介して上記指示が入力されたうえで、上記記憶手段の該選択された複数の画像情報のプリント処理を一括して実行可能にする為の制御手段とを有することを特徴とする。
【００１７】
また、本発明は、画像情報を記録媒体にプリントさせるプリントジョブを複数受付可能とし、且つ、各プリントジョブの画像情報を含む複数の画像情報を記憶可能な記憶手段を有する画像形成装置であって、上記記憶手段に記憶された画像情報のプリント処理、及び、上記記憶手段に記憶された画像情報の消去処理の、少なくとも何れかの処理を含む、上記記憶手段に記憶された画像情報に対する処理を行うにあたり、ユーザによりパスワードを入力させる為の第１の表示を操作部に実行させる表示制御手段を有し、上記表示制御手段は、上記第１の表示を介してパスワードが入力されたうえで、前記記憶手段に記憶されている複数の画像情報の中から処理すべき画像情報をユーザにより複数選択可能にする為の第２の表示を上記操作部に実行させ、更に、上記表示制御手段は、上記第１の表示を介してパスワードが入力され、且つ、上記第２の表示を介して複数の画像情報が選択されたうえで、該選択された複数の画像情報のプリント処理を一括して実行させる第１指示をユーザにより入力可能にする為の第３の表示を上記操作部に実行させ、上記画像形成装置は、上記第１の表示を介してパスワードが入力され、且つ、上記第２の表示を介して複数の画像情報が選択され、且つ、上記第３の表示を介して上記第１指示が入力されたうえで、上記記憶手段の該選択された複数の画像情報のプリント処理を一括して実行可能にする制御手段とを有し、更に、上記表示制御手段は、上記第１の表示を介してパスワードが入力され、且つ、上記第２の表示を介して複数の画像情報が選択されたうえで、該選択された複数の画像情報の消去処理を一括して実行させる第２指示をユーザにより入力可能にする為の第４の表示を上記操作部に実行させ、上記制御手段は、上記第１の表示を介してパスワードが入力され、且つ、上記第２の表示を介して複数の画像情報が選択され、且つ、上記第４の表示を介して上記第２指示が入力されたうえで、上記記憶手段の該選択された複数の画像情報の消去処理を一括して実行可能にする、ことを特徴とする。
【００１８】
また、本発明は、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行可能にし、上記第１の表示を操作部に実行させたうえで上記複数のプリントジョブの中から何れかのプリントジョブをユーザにより選択可能にする為の第２の表示を上記操作部に実行可能にし、上記第１の表示を上記操作部に実行させ、且つ、上記第２の表示を介してプリントジョブが選択されたうえで、該選択されたプリントジョブのプリント処理を他のプリントジョブに優先して実行させる指示をユーザにより入力可能にする為の第３の表示を上記操作部に実行可能にし、上記第１の表示がなされ、且つ、上記第２の表示を介して上記第３ジョブが選択され、且つ、上記第３の表示を介して上記指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にし、上記第１の表示がなされ、且つ、上記第２の表示を介して上記第３ジョブが選択され、且つ、上記第３の表示を介して上記指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にすることを特徴とする。
【００１９】
また、本発明は、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行可能にし、上記第１の表示を上記操作部に実行させたうえで上記複数のプリントジョブの中から何れかのプリントジョブをユーザにより選択可能にする為の第２の表示を上記操作部に実行可能にし、上記第１の表示を操作部に実行させ、且つ、上記第２の表示を介してプリントジョブが選択されたうえで、該選択されたプリントジョブのプリント処理を他のプリントジョブに優先して実行させる第１指示をユーザにより入力可能にする為の第３の表示を上記操作部に実行可能にし、上記第１の表示がなされ、且つ、上記第２の表示を介して上記第３ジョブが選択され、且つ、上記第３の表示を介して上記第１指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にし、上記第１の表示がなされ、且つ、上記第２の表示を介して上記第３ジョブが選択され、且つ、上記第３の表示を介して上記第１指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にし、上記第１の表示を操作部に実行させ、且つ、上記第２の表示を介してプリントジョブが選択されたうえで、該選択されたプリントジョブのプリント処理を中止させる第２指示をユーザにより入力可能にする為の第４の表示を上記操作部に実行可能にし、上記第１の表示がなされ、且つ、上記第２の表示を介してプリントジョブが選択され、且つ、上記第４の表示を介して上記第２指示が入力された場合に、プリント処理が完了していない上記複数のプリントジョブのうちの、上記第２の表示を介して選択されていないプリントジョブのプリント処理は中止せずに、上記第２の表示を介して選択されたプリントジョブのプリント処理を中止可能にし、上記第１の表示がなされ、且つ、上記第２の表示を介してプリントジョブが選択され、且つ、上記第４の表示を介して上記第２指示が入力されたうえで、該選択されたプリントジョブのプリント処理を中止する場合に、該選択されたプリントジョブの情報を上記操作部における上記第１の表示から消去可能にすることを特徴とする。
【００２０】
また、本発明は、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブ、及び、該第３ジョブの後にプリント処理を実行すべきプリント待ち状態の第４ジョブを含む、プリント処理が完了していない互いに独立した複数のプリントジョブのジョブ状況として、上記第１ジョブがプリント中であり且つ上記第２ジョブ及び上記第３ジョブ及び上記第４ジョブが夫々プリント待ち状態であることを各ジョブ毎にユーザにより識別可能にし、且つ、これらのジョブのプリント順序をユーザにより識別可能にする為の第１の表示を操作部に実行可能にし、上記第１の表示を操作部に実行させたうえで上記複数のプリントジョブの中から何れかのプリントジョブをユーザにより複数選択可能にする為の第２の表示を上記操作部に実行可能にし、上記第１の表示を上記操作部に実行させ、且つ、上記第２の表示を介して複数のプリントジョブが選択されたうえで、該選択された複数のプリントジョブのプリント処理を他のプリントジョブに優先して実行させる指示をユーザにより入力可能にする為の第３の表示を上記操作部に実行可能にし、上記第１の表示がなされ、且つ、上記第２の表示を介して上記第３ジョブ及び上記第４ジョブが選択され、且つ、上記第３の表示を介して上記指示が入力された場合に、上記プリント中の第１ジョブのプリント処理は中断せずに、該第３ジョブのプリント処理と該第４ジョブのプリント処理を、上記第１ジョブのプリント処理が完了してから上記記第２ジョブのプリント処理を開始する前に連続的に実行可能にし、上記第１の表示がなされ、且つ、上記第２の表示を介して上記第３ジョブ及び上記第４ジョブが選択され、且つ、上記第３の表示を介して上記指示が入力されたうえで、上記第３ジョブのプリント処理と上記第４ジョブのプリント処理を、上記第１ジョブのプリント処理が完了してから上記記第２ジョブのプリント処理を開始する前に、連続的に実行する場合に、該第３ジョブのプリント処理と上記第４ジョブのプリント処理とが上記第１ジョブのプリント処理の完了後で且つ上記第２ジョブのプリント処理の開始前に連続的に実行されることをユーザにより識別出来るように、上記操作部の上記第１の表示におけるプリント順序に関する表示内容を変更可能にすることを特徴とする。
【００２１】
また、本発明は、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブ、及び、該第３ジョブの後にプリント処理を実行すべきプリント待ち状態の第４ジョブを含む、プリント処理が完了していない互いに独立した複数のプリントジョブのジョブ状況として、上記第１ジョブがプリント中であり且つ上記第２ジョブ及び上記第３ジョブ及び上記第４ジョブが夫々プリント待ち状態であることを各ジョブ毎にユーザにより識別可能にし、且つ、これらのジョブのプリント順序をユーザにより識別可能にする為の第１の表示を操作部に実行可能にし、上記第１の表示を操作部に実行させたうえで上記複数のプリントジョブの中から何れかのプリントジョブをユーザにより複数選択可能にする為の第２の表示を上記操作部に実行可能にし、上記第１の表示を上記操作部に実行させ、且つ、上記第２の表示を介して複数のプリントジョブが選択されたうえで、該選択された複数のプリントジョブのプリント処理を他のプリントジョブに優先して実行させる第１指示をユーザにより入力可能にする為の第３の表示を上記操作部に実行可能にし、上記第１の表示がなされ、且つ、上記第２の表示を介して上記第３ジョブ及び上記第４ジョブが選択され、且つ、上記第３の表示を介して上記第１指示が入力された場合に、上記プリント中の第１ジョブのプリント処理は中断せずに、該第３ジョブのプリント処理と該第４ジョブのプリント処理を、上記第１ジョブのプリント処理が完了してから上記記第２ジョブのプリント処理を開始する前に、連続的に実行可能にし、上記第１の表示がなされ、且つ、上記第２の表示を介して上記第３ジョブ及び上記第４ジョブが選択され、且つ、上記第３の表示を介して上記第１指示が入力されたうえで、上記第３ジョブのプリント処理と上記第４ジョブのプリント処理を、上記第１ジョブのプリント処理が完了してから上記記第２ジョブのプリント処理を開始する前に、連続的に実行する場合に、該第３ジョブのプリント処理と上記第４ジョブのプリント処理とが上記第１ジョブのプリント処理の完了後で且つ上記第２ジョブのプリント処理の開始前に連続的に実行されることをユーザにより識別出来るように、上記操作部の上記第１の表示におけるプリント順序に関する表示内容を変更可能にし、上記第１の表示を操作部に実行させ、且つ、上記第２の表示を介して複数のプリントジョブが選択されたうえで、該選択された複数のプリントジョブのプリント処理を中止させる第２指示をユーザにより入力可能にする為の第４の表示を上記操作部に実行可能し、上記第１の表示がなされ、且つ、上記第２の表示を介して複数のプリントジョブが選択され、且つ、上記第４の表示を介して上記第２指示が入力された場合に、プリント処理が完了していない上記複数のプリントジョブのうちの、上記第２の表示を介して選択されていないプリントジョブのプリント処理は中止せずに、上記第２の表示を介して選択された複数のプリントジョブのプリント処理を中止可能にし、上記第１の表示がなされ、且つ、上記第２の表示を介して複数のプリントジョブが選択され、且つ、上記第４の表示を介して上記第２指示が入力されたうえで、該選択された複数のプリントジョブのプリント処理を中止する場合に、該選択された複数のプリントジョブの情報を上記操作部における上記第１の表示から消去可能にすることを特徴とする。
【００２２】
また、本発明は、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、上記画像形成装置にてプリント中の第１ジョブ、及び、該第１ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第１ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行可能にし、上記第１の表示を上記操作部に実行させたうえで上記複数のプリントジョブの中から何れかのプリントジョブをユーザにより選択可能にする為の第２の表示を上記操作部に実行可能にし、上記第１の表示を操作部に実行させ、且つ、上記第２の表示を介してプリントジョブが選択されたうえで、該選択されたプリントジョブのプリント処理を他のプリントジョブに優先して実行させる第１指示をユーザにより入力可能にする為の第３の表示を上記操作部に実行可能にし、上記第１の表示がなされ、且つ、上記第２の表示を介して上記第３ジョブが選択され、且つ、上記第３の表示を介して上記第１指示が入力された場合に、上記プリント中の第１ジョブのプリント処理は中断せずに、該第３ジョブのプリント処理を、上記第１ジョブのプリント処理が完了してから上記記第２ジョブのプリント処理を開始する前に実行可能にし、上記第１の表示がなされ、且つ、上記第２の表示を介して上記第３ジョブが選択され、且つ、上記第３の表示を介して上記第１指示が入力されたうえで、上記第３ジョブのプリント処理を、上記第１ジョブのプリント処理が完了してから上記記第２ジョブのプリント処理を開始する前に実行する場合に、該第３ジョブのプリント処理が上記第１ジョブのプリント処理の完了後で且つ上記第２ジョブのプリント処理の開始前に実行されることをユーザにより識別出来るように、上記操作部の上記第１の表示におけるプリント順序に関する表示内容を変更可能にし、上記第１の表示を上記操作部に実行させると共に、上記画像形成装置にてプリント処理が終了済みの互いに独立した複数のプリントジョブのジョブ履歴を上記操作部に表示させる第２指示をユーザにより入力可能にする為の第４の表示を上記操作部に実行可能にし、上記第１の表示を上記操作部に実行させている場合において上記第４の表示を介して上記第２指示が入力された場合に、上記画像形成装置にてプリント処理が終了済みの互いに独立した複数のプリントジョブの履歴情報を各ジョブ毎にユーザにより識別可能にする為の第５の表示を、上記第１の表示のかわって、上記操作部に実行可能にすることを特徴とする。
【００２３】
また、本発明は、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、上記記憶手段に記憶された画像情報のプリント処理、及び、上記記憶手段に記憶された画像情報の消去処理の、少なくとも何れかの処理を含む、上記記憶手段に記憶された画像情報に対する処理を行うにあたり、ユーザによりパスワードを入力させる為の第１の表示を操作部に実行可能にし、上記第１の表示を介してパスワードが入力されたうえで、前記記憶手段に記憶されている複数の画像情報の中から処理すべき画像情報をユーザにより複数選択可能にする為の第２の表示を上記操作部に実行可能にし、上記第１の表示を介してパスワードが入力され、且つ、上記第２の表示を介して複数の画像情報が選択されたうえで、該選択された複数の画像情報のプリント処理を一括して実行させる指示をユーザにより入力可能にする為の第３の表示を上記操作部に実行可能にし、上記第１の表示を介してパスワードが入力され、且つ、上記第２の表示を介して複数の画像情報が選択され、且つ、上記第３の表示を介して上記指示が入力されたうえで、上記記憶手段の該選択された複数の画像情報のプリント処理を一括して実行可能にすることを特徴とする。
【００２４】
また、本発明は、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置の制御方法であって、上記記憶手段に記憶された画像情報のプリント処理、及び、上記記憶手段に記憶された画像情報の消去処理の、少なくとも何れかの処理を含む、上記記憶手段に記憶された画像情報に対する処理を行うにあたり、ユーザによりパスワードを入力させる為の第１の表示を操作部に実行可能にし、上記第１の表示を介してパスワードが入力されたうえで、前記記憶手段に記憶されている複数の画像情報の中から処理すべき画像情報をユーザにより複数選択可能にする為の第２の表示を上記操作部に実行可能にし、上記第１の表示を介してパスワードが入力され、且つ、上記第２の表示を介して複数の画像情報が選択されたうえで、該選択された複数の画像情報のプリント処理を一括して実行させる第１指示をユーザにより入力可能にする為の第３の表示を上記操作部に実行可能にし、上記第１の表示を介してパスワードが入力され、且つ、上記第２の表示を介して複数の画像情報が選択され、且つ、上記第３の表示を介して上記第１指示が入力されたうえで、上記記憶手段の該選択された複数の画像情報のプリント処理を一括して実行可能にし、上記第１の表示を介してパスワードが入力され、且つ、上記第２の表示を介して複数の画像情報が選択されたうえで、該選択された複数の画像情報の消去処理を一括して実行させる第２指示をユーザにより入力可能にする為の第４の表示を上記操作部に実行可能にし、上記第１の表示を介してパスワードが入力され、且つ、上記第２の表示を介して複数の画像情報が選択され、且つ、上記第４の表示を介して上記第２指示が入力されたうえで、上記記憶手段の該選択された複数の画像情報の消去処理を一括して実行可能にすることを特徴とする。
【００４１】
【発明の実施の形態】
〔第１実施形態〕
図１は、本発明の第１実施形態を示す画像形成装置の制御構成を説明するブロック図であり、本実施形態では一例としてデジタル複写機を挙げて説明する。
【００４２】
図において、１０１はデジタル複写機本体で、操作部１０２，リーダ部１０３，プリンタ部１０４から構成される。操作部１０２は、処理モード等各種設定の入力及びデジタル複写機本体１０１及び画像入出力制御部１０５を操作するために使用する。
【００４３】
リーダ部１０３は原稿の画像を読み取り、原稿画像に応じた画像データを操作部１０２により設定される処理モード，印刷部数及び後述する原稿給送装置２０１により検知される原稿枚数とともにプリンタ部１０４及び画像入出力制御部１０５へ出力する。プリンタ部１０４は、リーダ部１０３及び画像入出力制御部１０５から送信される画像データに応じた画像を記録紙上に記録する。なお、リーダ部１０３およびプリンタ部１０４の構成については後述する図２において詳細に説明する。
【００４４】
画像入出力制御部１０５は、リーダ部１０３に接続されており、ファクシミリ部１０６，コンピュータインタフェース部１０７，画像メモリ（ハードディスク）１０８，制御部１０９から構成される。
【００４５】
画像メモリ１０８は、制御部１０９から転送される画像データを複数格納可能である。また、画像メモリ１０８は操作部１０２，ファクシミリ部１０６，コンピュータインタフェース部１０７より受け付けられた複数のプリントジョブをスプールするメモリとしても使用可能である。
【００４６】
ファクシミリ部１０６は、電話回線を介して受信した圧縮画像データを伸長して、伸長された画像データを制御部１０９へ転送し、又、制御部１０９から転送された画像データを圧縮して、圧縮された圧縮画像データを電話回線を介して送信する。なお、ファクシミリ部１０６により受信した圧縮画像データは、画像メモリ１０８に一時的に保存することができる。なお、ファクシミリ部１０６は送信元から送信される送信元のＦＡＸ番号等の送信元固有の情報も受信し、該受信した情報を制御部１０９に転送する。
【００４７】
コンピュータインタフェース部１０７は、パーソナルコンピュータ又はワークステーション（ＰＣ／ＷＳ）１１０と制御部１０９の間のインタフェースであり、ＰＣ／ＷＳｌ１０から転送された画像を表すコードデータ（ＰＤＬ（ＰａｇｅＤｅｓｃｒｉｐｔｉｏｎ  Ｌａｎｇｕａｇｅ，ページ記述言語）データ）をプリンタ部１０４で記録できる画像データに展開して制御部１０９に渡す。なお、ＰＣ／ＷＳ１１０から送られるプリントジョブの処理モードを表すデータも送られて制御部１０９に渡される。
【００４８】
制御部１０９はリーダ部１０３，ファクシミリ部１０６，コンピュータインタフェース部１０７，画像メモリ１０８各間のデータの流れを制御するものであり、リーダ部１０３，コンピュータインタフェース部１０７より転送される画像データを画像メモリ１０８に順次格納する。また、制御部１０９は、画像メモリ１０８に格納された画像データをプリンタ部１０４に転送する。１０９ａはＣＰＵで、ＲＯＭ１０９ｃに記憶されるプログラムに基づいて制御部全体の制御を行う。１０９ｂはＲＡＭで、ＣＰＵ１０９ａのワークメモリ等として機能する。なお、後述するように、制御部１０９は操作部１０２を制御する。
【００４９】
なお、制御部１０９はプリントジョブの画像データとともに送信されるプリントジョブに関する各種情報（プリントジョブの処理モード，ファイル名，ユーザ名，ホスト名，プリントジョブの画像メモリ１０８の使用容量，印刷部数，印刷枚数，原稿枚数，ファクシミリ部１０６により受信したプリントジョブの場合は送信元の情報（ＦＡＸ番号等），現在におけるプリントジョブの状況等の各種情報）を受信して、状況記憶部１１２に記憶する。このとき、不図示の計時部により計測されるプリントジョブを受け付けた時刻も共に記憶する。
【００５０】
また、制御部１０９は、プリンタ部１０４においてプリント処理が終了した場合に、プリンタ部１０４から通知される制御信号によりプリントジョブの終了を検知し、その終了したプリントジョブの各種情報を状況記憶部１１２から削除し、履歴記憶部１１１に記憶させる。このとき、不図示の計時部により計測されるプリントジョブの処理終了時刻とそのジョブの実行結果（異常終了，強制終了，正常終了）とを共に記憶させる。
【００５１】
１１１は履歴記憶部で、プリンタ部１０４で処理が終了あるいは中断したプリントジョブの情報（プリントジョブを受け付けた時刻，プリンタ部１０４で処理が終了した時刻，プリントジョブの処理モード（カラー印刷モード，モノクロ印刷モード等のモード），ファイル名，ユーザ名，ホスト名，印刷部数，印刷枚数，原稿枚数，ファクシミリ部１０６により受信したプリントジョブの場合は送信元の情報（ＦＡＸ番号等），プリンタ部１０４での実行結果等）を記憶する。
【００５２】
１１２は状況記憶部で、プリンタ部１０４で現在処理しているプリントジョブと、プリンタ部１０４で処理されるのを待っているプリントジョブの情報（プリントジョブを受け付けた時刻，プリントジョブの処理モード，ファイル名，ユーザ名，ホスト名，プリントジョブの画像メモリ１０８の使用容量，印刷部数，印刷枚数，ファクシミリ部１０６により受信したプリントジョブの場合は送信元の情報（ＦＡＸ番号等），現在におけるプリントジョブの状況等の各種情報）を記憶している。
【００５３】
図２は、図１に示したリーダ部１０３及びプリンタ部１０４の構成を示す断面図である。以下、構成及び動作について説明する。
【００５４】
図において、リーダ部１０３の原稿給送装置２０１は原稿を最終順に１枚ずつプラテンガラス２０２上へ給送し、原稿の読み取り動作終了後、プラテンガラス２０２上の原稿を排出するものである。原稿がプラテンガラス２０２上に搬送されると、ランプ２０３を点灯し、そしてスキャナユニット２０４の移動を開始させて、原稿を露光走査する。この時の原稿からの反射光は、ミラー２０５，２０６，２０７，及びレンズ２０８によってＣＣＤイメージセンサ（以下ＣＣＤと呼ぶ）２０９へ導かれる。このように、走査された原稿の画像はＣＣＤ２０９によって読み取られ、ＣＣＤ２０９から出力される画像データは、所定の処理が施された後、プリンタ部１０４及び画像入出力制御部１０５の制御部１０９へ転送される。
【００５５】
プリンタ部１０４のレーザドライバ２２１はレーザ発光部２１０を駆動するものであり、リーダ部１０３のＣＣＤ２０９から出力された画像データに基づきレーザ光をレーザ発光部２１０に発光させる。このレーザ光は感光ドラム２１１に照射され、感光ドラム２１１にはレーザ光に応じた潜像が形成される。この感光ドラム２１１の潜像が形成された部分に、現像器２１２が現像剤を付着させる。
【００５６】
そして、レーザ光の照射開始と同期したタイミングで、カセット２１３及びカセット２１４のいずれかから記録紙を給紙して転写部２１５へ搬送し、感光ドラム２１１に付着した現像剤を記録紙に転写する。現像剤が転写された記録紙は定着部２１６に搬送され、定着部２１６の熱と圧力により現像剤は記録紙に定着される。
【００５７】
定着部２１６を通過した記録紙は排出ローラ２１７によって排出され、ソータ２２０は排出された記録紙をそれぞれのビンに収納して記録紙の仕分けをしたり、仕分けされた記録紙のステイプルを行う。なお、ソータ２２０は仕分けが設定されていない場合は最上ビンに記録紙を収納する。
【００５８】
また、両面記録が設定されている場合は、排出ローラ２１７のところまで記録紙を搬送した後、排出ローラ２１７の回転方向を逆転させ、フラッパ２１８によって再給紙搬送路２１９へ導く。多重記録が設定されている場合は、記録紙を排出ローラ２１７まで搬送しないようにフラッパ２１８によって再給紙搬送路２１９へ導く。再給紙搬送路２１９へ導かれた記録紙は上述したタイミングで転写部２１５へ給紙される。
【００５９】
図３は、図１に示した操作部１０２のキー配列を説明する図である。
【００６０】
図において、３０１は電源スイッチで、本体への通電を制御する。３０２は予熱キーで、予熱モードのＯＮ／ＯＦＦを切替える場合に押下する。３０３はコピーモードキーで、複数の機能の中からコピーモードを選択するときに押下する。３０４はファックスモードキーで、複数の機能の中からファックスモードを選択するときに押下する。
【００６１】
３０５はパーソナルボックスキーで、複数の機能の中からパーソナルボックスモードを選択するときに押下する。パーソナルボックス機能とは、例えば会社においてユーザ個人や部署毎に複写機内のメモリに記憶領域を持ち、そこにＰＤＬデータやスキャン画像を記憶させておき、これらデータを出力させたい時に該記憶領域から読み出して出力する機能である。３０６は拡張キーで、ＰＤＬデータに対する操作を行うときに使用する。
【００６２】
３０７はコピースタートキーで、コピーの開始を指示するときに押下するキーである。３０８はストップキーで、コピーを中断したり、中止したりするときに押下するキーである。３０９はリセットキーで、スタンバイ中に該リセットキーを押下した場合に標準モードに復帰させる。３１０はガイドキーで、各機能の説明を表示させるために押下するキーである。
【００６３】
３１１はユーザモードキーで、ユーザがシステムの基本設定を変更するときに押下する。３１２は割り込みキーで、コピー中に割り込みして他のコピーを実行したいときに押下する。３１３はテンキーで、数値の入力を行うときに使用するキー群である。３１４はクリアキーで、数値をクリアするときに押下する。３１５はＩＤキーで、複写機を使用する場合にＩＤの入力モードに移行するときに押下する。
【００６４】
３１６はタッチパネル（操作パネル）で、液晶画面とタッチセンサの組合せからなり、各モード毎に個別の設定画面が表示され、さらに、描画されたキーに触れることで、各種の詳細な設定を行うことが可能である。３１７はタリーランプで、ネットワークとの通信状態を示し、通常緑色で点灯し、通信しているときは緑色で点滅し、ネットワークエラーの場合には赤色で点灯する。
【００６５】
図４は、図３に示したタッチパネル３１６に表示されるのコピー標準画面の一例を説明する図であり、本実施形態における画像処理装置では、電源投入時にデフォルトとしてコピー標準画面で起動するようになっている。
【００６６】
図において、４００はコピー標準画面である。４０１はメッセージラインで、コピージョブの状態をメッセージで表示する。４０２は倍率表示で、設定された倍率やコピーモードによって自動的に決められる倍率をパーセントで表示する。４０３は用紙サイズ表示で、選択された出力用紙のサイズを表示し、自動用紙選択が設定されている場合にはオート用紙というメッセージを表示する。
【００６７】
４０４は置数表示で、コピーする枚数を表示する。４０５は縮小キーで、縮小コピーを行いたい場合に押下する。４０６は等倍キーで、縮小や拡大が設定されている場合に等倍に戻したいときに押下する。４０７は拡大キーで、拡大コピーを行いたい場合に押下する。４０８はズームキーで、細かい単位で倍率を設定して縮小コピーや拡大コピーを行いたい場合に押下する。
【００６８】
４０９は用紙選択キーで、出力用紙を指定する場合に押下する。４１０はソータキーで、ソートやステイプルのモードを設定する場合に押下する。４１１は両面キーで、両面モードを設定する場合に押下する。４１２は濃度表示で、現在の印刷濃度が分かるように表示され、マーカー４１２ａが左側に表示される場合は濃度が薄く、右側に表示される場合は濃度が濃いことを示す。また、濃度表示４１２は、うすくキー４１３，こくキー４１５と連動して表示が変化するようになっている。
【００６９】
４１３はうすくキーで、濃度を薄くしたい場合に押下する。４１４は自動キーで、自動的に濃度を決定するモードを使用する場合に押下する。４１５はこくキーで、濃度を濃くしたい場合に押下する。４１６は文字キーで、文字原稿をコピーするのに適した濃度に自動的に設定する文字モードを設定する場合に押下する。
【００７０】
４１７は文字／写真キーで、写真が混在した原稿をコピーするのに適した濃度に自動的に設定する文字／写真モードを設定する場合に押下する。４１８は応用モードキーで、コピー標準画面４００で設定できない様々なコピーモードを設定する場合に押下する。
【００７１】
４１９はプリント状況キーで、現在デジタル複写機本体１０１で行われているプリントの状況を表示させる場合に押下する。このプリント状況キー４１９は、コピー標準画面４００がタッチパネル３１６に表示されている場合だけではなく、常にタッチパネル３１６のこの位置に表示されており、いつでもこのプリント状況キー４１９を押下することによりプリント状況を見ることができるようになっている。
【００７２】
図５は、図３に示したタッチパネル３１６に表示される第１のプリント状況画面の一例を説明する図である。
【００７３】
図において、５００は第１のプリント状況画面である。５０１はプリントジョブリストで、画像形成装置で受け付けられ、現在処理が行われているか、もしくは処理を実行されるのを待っているプリントジョブのリストである。プリントジョブリスト５０１では、プリントジョブの実行順序も示されており、上から順にプリントジョブは実行されていく。また、リストの一番上には現在プリント実行中のジョブが表示される。
【００７４】
５０２は受付件数表示で、分母は画像形成装置が受け付けたプリントジョブ数を示し、分子はプリントジョブリスト５０１で表示しているプリントジョブ数を表示する。５０３はメモリ残量表示で、画像メモリ１０８の残量をパーセントで表示する。
【００７５】
５０４は時刻フィールドで、プリントジョブリスト５０１で表示される各プリントジョブの受付時刻を表示する。５０５はユーザ名フィールドで、ＰＤＬプリントの場合はホスト名もしくはユーザ名を表示し、その他のコピーやＦＡＸのジョブに関してはその機能の名前を表示する。５０６はジョブ名フィールドで、プリントジョブ名を表示し、ＰＤＬプリントの場合はファイル名を表示し、コピーの場合は原稿枚数と部数、ＦＡＸの場合は送信元のＦＡＸ番号を表示する。
【００７６】
５０７は状況フィールドで、各プリントジョブの現在の状況を表示し、プリント中の場合は「プリント中」と、画像メモリ１０８で待機している場合には「プリント待ち」と表示する。
【００７７】
５０８はカーソルで、プリントジョブを選択する場合にプリントジョブが表示されている部分にタッチすると、そのプリントジョブが選択され反転表示される。５０９はプリントジョブ履歴キーで、画像形成装置で処理が終了したプリントジョブの履歴を見たい場合に押下する。プリントジョブ履歴キー５０９を押すと後述する図７に示すプリントジョブ履歴画面７００が表示される。
【００７８】
５１０は優先キーで、プリントジョブリスト５０１で選択されたプリントジョブの優先順位を上げるために使用する。５１１は下スクロールキー，５１２は上スクロールキーで、プリントジョブがプリントジョブリスト５０１の一画面に表示しきれない場合に、プリントジョブリスト５０１に表示されるプリントジョブを上下にスクロールさせる。
【００７９】
５１３は詳細情報キーで、プリントジョブリスト５０１で選択されたプリントジョブの詳細情報を見る場合に使用する。詳細情報キー５１３を押すと後述する図６に示すプリントジョブ詳細情報画面６００が表示される。５１４は中止キーで、プリントジョブリスト５０１で選択されたプリントジョブのプリントを中止する場合に押下する。５１５は閉じるキーで、第１のプリント状況画面を終了する場合に押下する。
【００８０】
図６は、図３に示したタッチパネル３１６に表示されるプリントジョブ詳細ウインドウの一例を説明する図である。なお、プリントジョブ詳細ウインドウは図５に示した詳細情報キー５１３を押下した時に表示される画面である。また、こでは、図５に示したプリントジョブリスト５０１に表示されるプリントジョブの上から３段目のホスト名が「ｓｈｉｍａｄａ」でファイル名が「飲み会の連絡」のジョブが選択されたときに詳細情報キー５１３が押下された場合に対応する。
【００８１】
図において、６０１はプリントジョブ詳細ウインドウで、一つのプリントジョブの詳細情報を表示する。６０２は受付時刻表示欄で、プリントジョブの受付時刻を表示する。６０３は受付番号表示欄で、プリントジョブの受付番号を表示する。６０４はサイズ表示欄で、プリントジョブのファイルサイズを表示し、そのプリントジョブが画像メモリ１０８をどれだけ使用しているかを見ることができる。
【００８２】
６０５はページ数表示欄で、プリントジョブのページ数を表示する。６０６はホスト名表示欄で、ＰＤＬプリントの場合はホスト名もしくはユーザ名を表示し、その他のコピーやＦＡＸのジョブに関してはその機能の名前を表示する。６０７はジョブ名フィールドで、プリントジョブ名を表示するフィールドであり、ＰＤＬプリントの場合はファイル名を表示し、コピーの場合は原稿枚数と部数、ＦＡＸの場合は送信元のＦＡＸ番号を表示する。
【００８３】
６０８は状況表示欄で、各プリントジョブの現在の状況を表示し、プリント中の場合は「プリント中」と、画像メモリ１０８で待機している場合には「プリント待ち」と表示する。６０９は閉じるキーで、このキーを押すことで図５に示した第１のプリント状況画面５００に戻る。
【００８４】
また、図示はしていないが、プリントジョブの処理モードをプリントジョブ詳細ウインドウ６０１に表示するように構成しても良い。
【００８５】
図７は、図３に示したタッチパネル３１６に表示されるプリントジョブ履歴画面の一例を説明する図である。なお、プリントジョブ履歴画面は図５に示したプリントジョブ履歴キー５０９が押下されたときに表示される画面である。
【００８６】
図において、７００はプリントジョブ履歴画面である。７０１はジョブ履歴リストで、過去に実行されたプリントジョブの履歴リストであり、本実施形態では上から順に古いものから表示される。しかし、上から順に新しいものから表示しても良い。つまり、ジョブの受付時刻またはプリント処理の終了時刻で古い順にジョブ履歴リスト７０１の上から表示しても良いし、ジョブの受付時刻またはプリント処理の終了時刻で新しい順にジョブ履歴リスト７０１の上から表示しても良い。
【００８７】
７０２は時刻表示フィールドで、本実施形態ではプリントジョブの受付時刻を表示するフィールドである。なお、時刻表示フィールド７０２にプリントジョブのプリント処理終了時刻を表示するようしても良い。７０３はユーザ名フィールドで、ＰＤＬプリントの場合はホスト名もしくはユーザ名を表示し、その他のコピーやＦＡＸのジョブに関してはその機能の名前を表示するフィールドである。
【００８８】
７０４はジョブ名フィールドで、プリントジョブ名を表示するフィールドであり、ＰＤＬプリントの場合はファイル名を表示し、コピーの場合は原稿枚数と部数、ＦＡＸの場合は送信元のＦＡＸ番号を表示する。７０５はプリント結果フィールドで、各プリントジョブのプリント結果を表示し、正常終了の場合は「ＯＫ」，異常終了の場合は「ＮＧ」，図３に示したストップキー３０８や図５に示した中止キー５１４等が押下され強制終了した場合には「Ｓｔｏｐ」を表示する。
【００８９】
７１１はカーソルで、プリントジョブを選択する場合にプリントジョブが表示されている部分にタッチすると、そのプリントジョブが選択され反転表示される。
【００９０】
７０６は下スクロールキー，７０７は上スクロールキーで、プリントジョブがプリントジョブ履歴リスト７０１の一画面に表示しきれない場合に、プリントジョブ履歴リスト７０１に表示されるプリントジョブを上下にスクロールさせる。
【００９１】
７０８は詳細情報キーで、プリントジョブ履歴リスト７０１で選択されたプリントジョブの詳細情報を見る場合に押下する。詳細情報キー７０８を押すと後述する図８に示すプリントジョブ詳細情報画面８０１が表示される。
【００９２】
７０９は閉じるキーで、プリントジョブ履歴画面７００を終了する際に押下するキーであり、このキーを押下することにより、図５に示した第１のプリント状況画面５００に戻る。７１０は閉じるキーで、第１のプリント状況画面５００を終了するキーである。
【００９３】
図８は、図３に示したタッチパネル３１６に表示されるプリントジョブ履歴詳細ウインドウの一例を説明する図である。なお、プリントジョブ履歴詳細ウインドウは図７に示した詳細情報キー７０８を押下した時に表示される画面である。また、ここでは、図７に示したプリントジョブ履歴リスト７０１に表示されるプリントジョブの上から３段目のホスト名が「ｓｈｉｍａｄａ」でファイル名が「飲み会の連絡」のジョブが選択されたときに詳細情報キー７０８が押下された場合に表示されるウインドウに対応する。
【００９４】
図において、８０１はプリントジョブ履歴詳細ウインドウで、一つのプリントジョブの履歴詳細情報を表示する。８０２は時刻表示欄で、本実施形態ではプリントジョブの受付時刻を表示する。また、プリントジョブのプリント終了時刻を表示するようにしても良い。８０３は受付番号表示欄で、プリントジョブの受付番号を表示する。８０４はサイズ表示欄で、プリントジョブのファイルサイズを表示する。
【００９５】
８０５はページ数表示欄で、プリントジョブの出力したページ数を表示する。８０６はホスト名表示欄で、ＰＤＬプリントの場合はホスト名もしくはユーザ名を表示し、その他のコピーやＦＡＸのジョブに関してはその機能の名前を表示する。８０７はジョブ名フィールドで、プリントジョブ名を表示するフィールドであり、ＰＤＬプリントの場合はファイル名を表示し、コピーの場合は原稿枚数と部数、ＦＡＸの場合は送信元のＦＡＸ番号を表示する。
【００９６】
８０８は結果表示欄で、プリント結果を表示するフィールドであり、正常終了の場合は「０Ｋ」、異常終了の場合は「ＮＧ」、ストップキー３０８や中止キー５１４などで強制終了した場合には「Ｓｔｏｐ」を表示する。８０９は閉じるキーで、このキーを押すことで図７に示したプリントジョブ履歴画面７００に戻る。
【００９７】
また、図示はしていないが、プリントジョブの処理モードをプリントジョブ履歴詳細ウインドウ８０１に表示するように構成しても良い。
【００９８】
以下、図９を参照して本実施形態におけるデータ処理手順を説明する。
【００９９】
図９は、本発明に係る画像形成装置における第１のデータ処理手順の一例を説明するフローチャートである。なお、このフローチャートは図１に示した制御部１０９の操作部１０２に対する制御手順であり、図５に示した第１のプリント状況画面５００での操作手順に対応する。なお、（１）〜（１５）は各ステップを示す。
【０１００】
まず、図４に示したコピー標準画面４００等からプリント状況キー４０９の押下を受け付け（１）、図５に示した第１のプリント状況画面５００をタッチパネル３１６に表示する（２）。
【０１０１】
次に、図５に示した第１のプリント状況画面５００に表示されるプリントジョブを選択し（３）、図５に示した優先キー５１０が押下されたかどうかを判断し（４）、押下されたと判断した場合は、ステップ（３）で選択されたプリントジョブの優先順位を上げ、現在プリントしているジョブの次に実行するように設定し、図５に示したプリントジョブリスト５０１に表示されているプリントジョブの表示順序を変更し（９）、ステップ（２）に戻る。
【０１０２】
一方、ステップ（４）において優先キー５１０が押下されていないと判断した場合は、図５に示した詳細情報キー５１３が押下されたかどうかを判断し（５）、押下されたと判断した場合は、ステップ（３）で選択されたプリントジョブの詳細情報を図６に示したプリントジョブ詳細ウインドウ６０１により表示し（１０）、図６に示した閉じるキー６０９が押下されたときにステップ（２）戻る。
【０１０３】
一方、ステップ（５）において詳細情報キー５１３が押下されていないと判断した場合は、図５に示した中止キー５１４が押下されたかどうかを判断し（６）、押下されたと判断した場合は、ステップ（３）で選択されたプリントジョブのプリント実行を中止し、図５に示したプリントジョブリスト５０１に表示されているプリントジョブの表示から中止したジョブの表示を消し（１１）、ステップ（２）に戻る。
【０１０４】
一方、ステップ（６）において、中止キー５１４が押下されていないと判断した場合は、図５に示したプリントジョブ履歴キー５０９が押下されたかどうかを判断し（７）、押下されたと判断した場合は、ステップ（１２）以降に進む。
【０１０５】
ステップ（１２）以降では、図７に示したプリントジョブ履歴画面７００を表示し（１２）、ジョブ履歴リスト７０１に表示されるプリントジョブから詳細情報が見たいプリントジョブを選択し（１３）、図７に示した詳細情報キー７０８が押下されたかどうかを判断し（１４）、押下されていないと判断した場合は、ステップ（１２）に戻る。
【０１０６】
一方、詳細情報キー７０８が押下されたと判断した場合は、図８に示したプリントジョブ履歴詳細ウインドウ８０１を表示し（１５）、閉じるキー８０９を押下された場合にステップ（２）に戻る。
【０１０７】
一方、ステップ（７）において、プリントジョブ履歴キー５０９が押下されていないと判断した場合は、図５に示した閉じるキー５１５が押下されたかどうかを判断し（８）、押下されていないと判断した場合は、ステップ（２）に戻り、押されたと判断した場合は第１のプリント状況画面５００を終了し、プリント状況キー４１９が押された画面に戻り、処理を終了する。
【０１０８】
このように、本実施形態によれば、複数のジョブを受け付けることができるデジタル複写機において、前記複数のジョブの実行状況を表示することにより、複写機が今誰の発行したどのジョブを実行しているのか、また自分の発行したジョブが今どのような状況なのかを容易に知ることが可能となるとともに、過去に行ったプリントジョブの実行履歴を表示することにより、何らかの理由でジョブが正常終了しなかった場合にジョブの終了結果を容易に知ることが可能となり、動作状況を把握しやすいデジタル複写機操作パネルを提供することができる。
【０１０９】
〔第２実施形態〕
上記第１実施形態では、タッチパネルに表示される画面を操作することにより、受け付けられた複数のプリントジョブの実行状況及び過去に実行したプリントジョブの実行履歴をタッチパネル上に表示する画像形成装置について説明したが、本実施形態では、タッチパネル３１６に表示されるプリント状況画面上で複数のプリントジョブを選択し、これら選択された複数のプリントジョブに対して同一の処理を一括指示する様に構成しても良い。以下その実施形態について説明する。
【０１１０】
なお、第１実施形態と同様に本実施形態で説明する画像形成装置においても、図１に示した制御構成，図２に示したリーダ部１０３及びプリンタ部１０４，図３に示した操作部１０２を有し、図４に示したコピー標準画面４００をタッチパネル３１６に表示する。
【０１１１】
ただし、本実施形態においては、図４に示したプリント状況キー４１９を押下すると、後述する図１０に示す第２のプリント状況画面１０００を開き、プリント状況を表示することができる。
【０１１２】
図１０は、図３に示したタッチパネル３１６に表示される第２のプリント状況画面１０００の一例を説明する図である。なお、図５と同一のものには同一の符号を付してある。
【０１１３】
図において、１０００は第２のプリント状況画面である。１００１はプリントジョブリストで、画像形成装置で受け付けられ、現在処理が行われているか、もしくは処理を実行されるのを待っているコピー，ファクシミリ及びＰＤＬプリントジョブのリストである。プリントジョブリスト１００１では、プリントジョブの実行順序も示されており、上から順にプリントジョブは実行されていく。また、リストの一番上には実行中のジョブが表示される。
【０１１４】
１００４は時刻フィールドで、プリントジョブリスト１００１で表示されるプリントジョブの受付時刻を表示する。１００５はユーザ名フィールドで、ＰＤＬプリントの場合はホスト名もしくはユーザ名を表示し、その他のコピーやＦＡＸのジョブに関してはその機能の名前を表示するフィールドである。１００６はジョブ名フィールドで、プリントジョブ名を表示するフィールドであり、ＰＤＬプリントの場合はファイル名を表示し、コピーの場合は原稿枚数と部数、ＦＡＸの場合は送信元のＦＡＸ番号を表示する。
【０１１５】
１００７は状況フィールドで、各プリントジョブの現在の状況を表示し、プリント中の場合は「プリント中」を、画像メモリ１０８で待機している場合には「プリント待ち」を表示する。
【０１１６】
なお、本実施形態においては、プリントジョブリスト１００１に表示されているプリントジョブは、タッチすることで各プリントジョブ毎に通常表示と反転表示がトグル動作で表示される。すなわち、通常表示時にタッチすると反転表示、反転表示時にタッチすると通常表示に変化する。反転表示は、そのプリントジョブが選択されていることを示す。即ち、プリントジョブリスト１００１においては、プリントジョブを単数あるいは複数選択することができる。
【０１１７】
１００８ａ，１００８ｂはカーソルで、プリントジョブが反転表示されており、そのプリントジョブが選択されていることを示している。図１０においては、ホスト名が「ｈｏｓｔ１」でジョブ名が「ｒｅａｄｍｅ．ｄｏｃ」のプリントジョブ（カーソル１００８ａ）と、ユーザ名が「ｓｈｉｍａｄａ」でジョブ名が「飲み会の連絡」のプリントジョブ（カーソル１００８ｂ）が選択されている。
【０１１８】
１００９はプリントジョブ履歴キーで、画像形成装置で処理が終了したプリントジョブの履歴を見たい場合に押下する。１０１０は優先キーで、プリントジョブリスト１００１で選択されたプリントジョブの優先順位を上げるために使用する。１０１１は下スクロールキー，１０１２は上スクロールキーで、プリントジョブがプリントジョブリスト１００１の一画面に表示しきれない場合に、プリントジョブリスト１００１に表示されるプリントジョブを上下にスクロールさせる。
【０１１９】
１０１３は詳細情報キーで、プリントジョブリスト１００１で選択されたプリントジョブの詳細情報を見る場合に使用する。１０１４は中止キ―で、プリントジョブリスト１００１で選択されたプリントジョブのプリントを中止する場合に押下する。なお、プリントジョブリスト１００１で複数のプリントジョブを選択した後に中止キー１０１４を押すことで複数のプリントジョブを同時にキャンセルすることができる。１０１５は閉じるキ―で、第２のプリント状況画面１０００を終了する場合に押下する。
【０１２０】
図１１は、本発明に係る画像形成装置における第２のデータ処理手順の一例を説明するフローチャートであり、プリントジョブのキャンセル手順に対応し、図１０に示した第２のプリント状況画面１０００での操作を示している。なお、（１）〜（６）は各ステップを示す。また、このフローチャートに基づく処理は図１に示した制御部１０９により行われている。
【０１２１】
まず、プリントジョブリスト１００１で項目をタッチしたかどうかを判断し（１）、タッチしたと判断した場合はステップ（２）に進み、タッチしていない場合はステップ（５）に進む。
【０１２２】
ステップ（２）では、タッチされた項目が反転表示されているかどうかを判断し、反転表示されていると判断した場合には、タッチされた項目に関して反転表示を解除して通常表示に戻し（３）、ステップ（５）に進む。一方、反転表示されていないと判断した場合には、タッチされた項目を反転表示して（４）、ステップ（５）に進む。
【０１２３】
次に、ステップ（５）で、中止キー１０１４が押下されたかどうかを判断し、押下されてないと判断した場合は、ステップ（１）に戻り、押下されたと判断した場合は、中止キー１０１４が押下されるまでに選択された一つまたは複数のプリントジョブのキャンセルを制御部１０９に知らせ、キャンセルされたプリントジョブをプリントジョブリスト１００１から削除し（６）、処理を終了する。
【０１２４】
よって上記第２実施形態によれば、第２のプリント状況画面１０００のプリントジョブリスト１００１で単数あるいは複数のプリントジョブを選択することができ、かつ中止キー１０１４を押下すると選択された単数あるいは複数のプリントジョブの処理を同時にキャンセルすることが可能となる。
【０１２５】
また、第２のプリント状況画面１０００のプリントジョブリスト１００１で複数のプリントジョブを選択した後に、優先キー１０１０を押下すると選択された複数のプリントジョブの優先順位を前記複数のジョブ間の順位は保ったままで同時に上げることができる。
【０１２６】
例えば、図１０に示したプリントジョブリスト１００１中の下から２段目の「原稿５０×１０部のＣＯＰＹジョブ」及び最下段の「ｄａｔａ．ｘｌｓ，ｉｔｏｈのプリントジョブ」を選択した後に、優先キー１０１０を押下すると、「原稿５０×１０部のＣＯＰＹジョブ」が現在プリント中のジョブ「ｒｅａｄｍｅ．ｄｏｃ，ｈｏｓｔ１のプリントジョブ」の次に処理するジョブに、「ｄａｔａ．ｘｌｓ，ｉｔｏｈのプリントジョブ」が「原稿５０×１０部のＣＯＰＹジョブ」の次に処理するジョブに順位変更される。
【０１２７】
このように、画像形成装置においてプリント中またはプリント待機中のプリントジョブに対し、同一の処理を指示する場合に、プリントジョブ毎個別に指示を行わなくても、複数のプリントジョブを複数選択して一括指示することができ、ユーザによる指示負担を大幅に軽減することができる。
【０１２８】
なお、本実施形態では、２つのジョブを選択し、該選択された２つのジョブについて所定の処理を一括指示する場合について説明したが、それ以外の数のジョブを選択して所定の処理を一括指示しても良いし、全てのジョブを選択して所定の処理を一括指示しても良い。
【０１２９】
〔第３実施形態〕
上記第２実施形態によれば、プリント中あるいはプリント待ちをしているプリントジョブを複数選択して、それら複数のプリントジョブに同一の処理を一括指示する場合について説明したが、パーソナルボックスに記憶されるドキュメントをタッチパネルに表示し、ドキュメントを複数選択し、それら複数のドキュメントに対して、同一の処理を一括指示するように構成しても良い。以下、その実施形態について説明する。
【０１３０】
なお、第２実施形態と同様に本実施形態で説明する画像形成装置においても、図１に示した制御構成，図２に示したリーダ部１０３及びプリンタ部１０４，図３に示した操作部１０２を有し、図４に示したコピー標準画面４００をタッチパネル３１６に表示する。
【０１３１】
ただし、本実施形態においては、図４に示したプリント状況キー４１９を押下すると、図１０に示した第２のプリント状況画面１０００を開き、プリント状況を表示することができる。
【０１３２】
図１２は、図１に示した画像メモリ１０８の論理的な使用方法を説明する概念図である。なお、本実施形態においては使用用途に応じてハードディスクの記憶領域を後述するテンポラリ領域とパーソナルボックス領域に論理的に分けている。
【０１３３】
図において、１２０１はテンポラリ領域で、画像データの出力順序を変えたり、複数部出力においても一回のスキャンで出力ができるようにするために、ＰＤＬの展開データやスキャナからの画像データを一時的に記憶する記憶領域である。１２０２はパ―ソナルボックス領域で、パーソナルボックス機能を使用するための記憶領域であり、パーソナルボックス領域１２０３〜１２０６（以降、ボックスと呼ぶ）のように登録された数の小さないくつかの記憶領域に分割されている。
【０１３４】
なお、本実施形態において、ボックス１２０３のボックスナンバーは１であり、ボックス１２０４のボックスナンバーは２であり、ボックス１２０５のボックスナンバーは３であり、ボックス１２０６のボックスナンバーは４である。
【０１３５】
なお、本実施形態においてパーソナルボックス機能とは、機密文書などをプリントアウトする場合に、パソコンなどのホストやスキャナからデジタル複写機のハードディスク（画像メモリ１０８）の記憶領域（ボックス１２０３〜１２０７）を指定して画像を転送し、用紙への出力指示はデジタル複写機本体の操作部１０２から行うという機能である。
【０１３６】
ボックス１２０３〜１２０６は、会社の各ユーザや部署毎に割り当てられ、各ボックスにはボックス名とパスワードを付けることができる。ユーザはボックス名を指定することで各ボックスにアクセスすることができ、正しいパスワードを入力しないと実際にボックスの中を見たり、用紙に出力することはできない。
【０１３７】
図１３は、図３に示したタッチパネル３１６に表示されるボックス選択画面の一例を説明する図である。なお、ボックス選択画面は図３に示したパーソナルボックスキー３０５を押下することにより、タッチパネル３１６に表示する画面である。
【０１３８】
図１３において、１３００はボックス選択画面である。１３０１はボックス情報表示欄で、各ボックスの情報を表示しており、各ボックスのボックスナンバーとボックス名、各ボックスに記憶されるドキュメント数が表示される。各ボックスのボックスナンバーが表示される部分はボタン１３０１ａ〜１３０１ｃとなっており、これらボタン１３０１ａ〜１３０１ｃを触れることで開くボックスを選択することができる。
【０１３９】
ボックスナンバーに触れ、開くボックスを指定すると、図３に示したタッチパネル３１６は後述する図１４に示す画面に移行する。１３０２，１３０３は上下のスクロールキーで、一画面に表示できない数のボックスが存在した場合に、ボックス情報表示欄１３０１に表示されるボックス情報を上下にスクロールさせることができる。１３０４は閉じるキーで、ボックス選択画面１３００を終了させ、標準画面に戻すときに押下する。１３０５はプリント状況キーで、現在動作しているプリント状況を見る場合に押下する。
【０１４０】
図１４は、図３に示したタッチパネル３１６に表示されるパスワード入力画面１４００の一例を説明する図であり、ボタン１３０１ａ〜１３０１ｃが押下された場合に表示される画面に対応する。
【０１４１】
図において、１４００はパスワード入力画面である。１４０１は取り消しキーで、パスワード入力をやめるときに押下するするキーで、取り消しキー１４０１に触れると図１３に示したボックス選択画面１３００に戻る。このパスワード入力画面１４００がタッチパネル３１６に表示されているときに、図３に示したテンキー３１３によりボックスのパスワードを入力し、ＯＫキー１４０２を押下すると、入力されたパスワードがボックス選択画面で選択されたボックスのパスワードと同一であるかどうかを判定する。
【０１４２】
このとき、同一であると判定された場合には、図３に示したタッチパネル３１６に後述する図１５に示すドキュメント操作画面１５００を表示し、同一でないと判定された場合には、ユーザにパスワードが間違って入力されたことを通知する不図示のパスワード誤入力表示ウインドウをタッチパネル３１６に表示し、再びパスワード入力画面を表示する。
【０１４３】
図１５は、図３に示したタッチパネル３１６に表示されるドキュメント選択画面の一例を説明する図である。なお、ドキュメント選択画面は、図１４に示したパスワード入力画面１４００で入力されたパスワードが一致した場合にタッチパネル３１６に表示される画面である。
【０１４４】
図において、１５００はドキュメント選択画面で、一つのボックス内のドキュメントを選択する画面である。１５０１はドキュメント情報表示欄で、ボックスに記憶されるドキュメント情報、例えば各ドキュメントの記憶された日時及びそのドキュメントのファイル名等が表示される。
【０１４５】
ドキュメント情報表示欄１５０１に表示されるファイル名をタッチすることで各ドキュメント情報毎に通常表示と反転表示がトグル動作で表示される。すなわち、通常表示時にタッチすると反転表示、反転表示時にタッチすると通常表示に変化する。反転表示は、そのドキュメントが選択されていることを示す。即ち、ドキュメント情報表示欄１５０１においては、プリントジョブを単数あるいは複数選択することができる。
【０１４６】
１５０７ａ，１５０７ｂはカーソルで、ドキュメント情報が反転表示されており、そのドキュメントが選択されていることを示している。なお、図１５においては、「ファイル名１」と「ファイル名２」とのドキュメントが選択されていることを示している。
【０１４７】
１５０２，１５０３は上下のスクロールキーで、一画面に表示できない数のドキュメントが存在した場合に、ドキュメント情報表示欄１５０１に表示されるドキュメント情報を上下にスクロールさせることができる。
【０１４８】
１５０４はプリントキーで、ドキュメントを選択した後にこのキーを押下することにより、図１に示したプリンタ部１０４において用紙に出力することができる。ドキュメント情報表示欄１５０１で複数のドキュメントを選択するした後にプリントキー１５０４を押下することにより、複数のドキュメントを一回の操作で連続して出力することができる。
【０１４９】
１５０５は消去キーで、ボックス内のドキュメントを用紙に出力せずに消去する場合に押下する。この場合もドキュメント情報表示欄１５０１で複数のドキュメントを選択するした後に消去キー１５０５を押下することにより、複数のドキュメントを一回の操作で同時に消去することができる。１５０６は閉じるキーで、閉じるキー１５０６を押下することでボックス選択画面１５００を閉じ、図１３に示したボックス選択画面１３００に移行する。
【０１５０】
図１６は、本発明に係る画像形成装置における第３のデータ処理手順を説明するフローチャートであり、本実施形態に係わる画像形成装置のパーソナルボックスに記憶されるドキュメントをプリント部１０４で出力する際の手順に対応する。なお、（１）〜（９）は各ステップを示す。また、このフローチャートに基づく処理は図１に示した制御部１０９により行なわれている。
【０１５１】
まず、図１に示したＰＣ／ＷＳｌ１０上でユーザが印刷部数等のプリント設定を行う（１）。なお、ステップ（１）におけるプリント設定内容は、通常のＰＤＬプリントで設定する内容に加えて画像メモリ１０８のボックス１２０３〜１２０６の一つを展開画像データの記憶先として指定する。
【０１５２】
次に、ＰＣ／ＷＳｌ１０上で印刷指示を与え、それと共にＰＣ／ＷＳｌ１０上にインストールされているドライバソフトウエアが印刷対象となるコードデータをいわゆるＰＤＬデータに変換して、ステップ（１）で設定したプリント設定パラメータとともに、ＰＣ／ＷＳｌ１０に接続されたコンピュータインタフェース経由で、本画像入出力装置のコンピュータインタフェース部１０７にＰＤＬデータを転送する（２）。
【０１５３】
それから、コンピュータインタフェース部１０７に転送されたＰＤＬデータを画像データに展開（ラスタライズ）し（３）、画像データの展開が完了すると、展開された画像データがステップ（１）でのプリント設定で指定した画像メモリ１０８のボックスに順次記憶される。また、ステップ（１）で設定したプリント設定パラメータも指定されたボックスに記憶される（４）。
【０１５４】
次に、ステップ（４）で画像データを記憶したボックスにアクセスするために、操作部１０２の図３に示したテンキー３１３からパスワードを入力する（５）。このときパスワードを入力するためには、まず操作部１０２のパーソナルボックスキー３０５を押下する。パーソナルボックスキー３０５を押下すると、タッチパネル３１６に図１３示したボックス選択画面１３００が表示される。ボックス選択画面１３００に表示されるボックスナンバーはボタンになっており、このボックスナンバーを触れることで図１４に示したパスワード入力画面１４００がタッチパネル３１６に表示される。この画面が表示される時にテンキー３１３を用いてパスワードを入力することができる。
【０１５５】
ステップ（６）では、ステップ（５）で入力されたパスワードの正誤判定を行う。パスワードの正誤判定は図１４に示したＯＫキー１４０２を押下した後に行われ、パスワードが間違っていたと判定した場合は、パスワード誤入力表示を行って（９）、ステップ（５）に戻り、図１４に示したパスワード入力画面１４００を表示する。一方、入力したパスワードが正しいと判定された場合には、タッチパネル３１６の表示が図１５に示したドキュメント選択画面１５００に移行し、ドキュメント選択画面１５００上で選択したボックス内に記憶されている複数のドキュメントから用紙に出力するドキュメントを単数あるいは複数選択し（７）、プリントキー１５０４が押下されるとステップ（８）に進む。
【０１５６】
それから、ステップ（７）で選択された単数あるいは複数のドキュメントの各ページを、ステップ（１）で設定されたプリント設定に従って設定された部数分プリント出力し（８）、処理を終了する。
【０１５７】
図１７は、本発明に係る画像形成装置における第４のデータ処理手順の一例を説明するフローチャートであり、ボックス１２０３〜１２０６に記憶されるドキュメントの出力設定と消去設定とを図１５に示したドキュメント選択画面１５００で操作する場合の処理手順に対応する。なお、（１）〜（８）は各ステップを示す。また、このフローチャートに基づく処理は図１に示した制御部１０９により行われている。
【０１５８】
まず、図１５に示したドキュメント情報表示欄１５０１で項目をタッチしたかどうかを判断し、タッチしたと判断した場合はステップ（２）に進み、タッチしていないと判断した場合はステップ（５）に進む。
【０１５９】
次にステップ（２）において、タッチされた項目が反転表示されているかどうかを判断し、反転表示されていると判断した場合には、タッチされた項目に関して反転表示を解除して通常表示に戻し（３）、ステップ（５）に進み、一方、反転表示されていないと判断した場合には、タッチされた項目を反転表示して（４）、ステップ（５）に進む。
【０１６０】
それから、ステップ（５）では、プリントキー１５０４が押下されたかどうかを判断し、押下されたと判断した場合は、プリントキー１５０４が押下されるまでに選択された一つまたは複数のドキュメントのプリント指示を制御部１０９に出し（６）、処理を終了する。
【０１６１】
一方、ステップ（５）において、押下されないと判断した場合には、消去キー１５０５が押下されたかどうかを判断し（７）、押下されないと判断した場合はステップ（１）に戻り、押下されたと判断した場合は、消去キー１５０５が押されるまでに選択された一つまたは複数のドキュメントの消去指示を制御部１０９に出し、消去されたドキュメントをドキュメント情報１１０１から削除し（８）、処理を終了する。
【０１６２】
なお、この操作は画像メモリ１０８から画像を消去する操作であり、プリントを開始した後、そのプリントジョブをキャンセルする場合は、第２実施形態で説明した操作を行う。
【０１６３】
このように、複数のドキュメントに対し、同一の処理を指示する場合に、ドキュメント毎個別に指示を行わなくても、複数のドキュメントを選択して一括指示することができ、ユーザによる指示負担を大幅に軽減することができる。
【０１６４】
このように上記第２，第３実施形態によれば、画像データを入力する画像入力手段と、前記画像入力手段により入力された画像データを順次記憶する画像記憶手段と、前記画像記憶手段に記憶された画像データを読み出し順次プリント出力する画像出力手段と、前記記憶された画像データの処理モードを設定する設定手段を備え、前記画像入力手段により入力された画像データを前記画像記憶手段に順次記憶し、自動的に画像出力手段に順次プリント出力する第１のモードと、記画像入力手段により入力された画像データを前記画像記憶手段に順次記憶し、前記設定手段により出力設定されたときに順次プリント出力する第２のモードを備え、複数の画像出力ジョブを受け付けることのできる画像形成装置において、複数の画像出力ジョブの実行状況を表示する画像出力ジョブリストから複数の画像出力ジョブを指定し、同時にキャンセル指示を出すことにより、同時操作により複数の画像出力ジョブをキャンセルすることができる。
【０１６５】
また、前記設定手段は、前記第２のモードの出力設定を行う場合に、同時に複数の画像出力ジョブを出力設定することにより、同時操作により複数の画像出力ジョブを発生させることができる。
【０１６６】
従って、複数のジョブを受け付けることができる画像メモリを備えたデジタル複写機において、複数のプリントジョブの出力操作およびキャンセル操作が行いやすいデジタル複写機操作パネルを提供することができる。
【０１６７】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１６８】
この場合、記憶媒体から読み出されたプログラムコード自体が本発明の新規な機能を実現することになり、そのプログラムコードを記憶した記憶媒体は本発明を構成することになる。
【０１６９】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１７０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１７１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１７２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１７３】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１７４】
【発明の効果】
以上説明したように、本発明に係る第１の発明によれば、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置にてプリント中の第1ジョブ、及び、該第1ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第1ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行可能にし、上記第１の表示を操作部に実行させたうえで上記複数のプリントジョブの中から何れかのプリントジョブをユーザにより選択可能にする為の第２の表示を上記操作部に実行可能にし、上記第1の表示を上記操作部に実行させ、且つ、上記第２の表示を介してプリントジョブが選択されたうえで、該選択されたプリントジョブのプリント処理を他のプリントジョブに優先して実行させる指示をユーザにより入力可能にする為の第３の表示を上記操作部に実行可能にし、上記第1の表示がなされ、且つ、上記第２の表示を介して上記第３ジョブが選択され、且つ、上記第３の表示を介して上記指示が入力された場合に、上記プリント中の第1ジョブのプリント処理は中断せずに、該第３ジョブのプリント処理を、上記第1ジョブのプリント処理が完了してから上記記第２ジョブのプリント処理を開始する前に実行可能にし、上記第1の表示がなされ、且つ、上記第２の表示を介して上記第３ジョブが選択され、且つ、上記第３の表示を介して上記指示が入力されたうえで、上記第３ジョブのプリント処理を、上記第1ジョブのプリント処理が完了してから上記記第２ジョブのプリント処理を開始する前に実行する場合に、該第３ジョブのプリント処理が上記第1ジョブのプリント処理の完了後で且つ上記第２ジョブのプリント処理の開始前に実行されることをユーザにより識別出来るように、上記操作部の上記第１の表示におけるプリント順序に関する表示内容を変更可能にするので、ユーザは、ジョブの実行（待機）状況として、上記第１ジョブがプリント中であり且つ上記第２ジョブ及び上記第３ジョブが夫々プリント待ち状態であることを、上記操作部における上記第１の表示を介して、各ジョブ毎に容易に把握することができ、且つ、これらのジョブのプリント順序を、上記第１の表示を介して容易に確認することができ、そのうえで、上記複数のプリントジョブの中から何れかのプリントジョブを上記操作部における上記第２の表示を介して選択でき、そのうえで、該選択されたプリントジョブのプリント処理を他のプリントジョブに優先して実行させる指示を上記操作部における上記第３の表示を介して入力することができ、上記第１の表示がなされ、且つ、上記第２の表示を介して上記第３ジョブを選択し、且つ、上記第３の表示を介して上記指示を入力した場合に、上記プリント中の第１ジョブのプリント処理��中断せずに、該第３ジョブのプリント処理を、上記第１ジョブのプリント処理が完了してから上記記第２ジョブのプリント処理を開始する前に実行させることができ、尚且つ、このようなプリント順序で、これらのプリントジョブが処理されることを、上記操作部の上記第１の表示を介して容易に確認できる。
【０１７５】
本発明に係る第２の発明によれば、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置にてプリント中の第1ジョブ、及び、該第1ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第1ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行可能にし、上記第１の表示を上記操作部に実行させたうえで上記複数のプリントジョブの中から何れかのプリントジョブをユーザにより選択可能にする為の第２の表示を上記操作部に実行可能にし、上記第1の表示を操作部に実行させ、且つ、上記第２の表示を介してプリントジョブが選択されたうえで、該選択されたプリントジョブのプリント処理を他のプリントジョブに優先して実行させる第1指示をユーザにより入力可能にする為の第３の表示を上記操作部に実行可能にし、上記第1の表示がなされ、且つ、上記第２の表示を介して上記第３ジョブが選択され、且つ、上記第３の表示を介して上記第1指示が入力された場合に、上記プリント中の第1ジョブのプリント処理は中断せずに、該第３ジョブのプリント処理を、上記第1ジョブのプリント処理が完了してから上記記第２ジョブのプリント処理を開始する前に実行可能にし、上記第1の表示がなされ、且つ、上記第２の表示を介して上記第３ジョブが選択され、且つ、上記第３の表示を介して上記第1指示が入力されたうえで、上記第３ジョブのプリント処理を、上記第1ジョブのプリント処理が完了してから上記記第２ジョブのプリント処理を開始する前に実行する場合に、該第３ジョブのプリント処理が上記第1ジョブのプリント処理の完了後で且つ上記第２ジョブのプリント処理の開始前に実行されることをユーザにより識別出来るように、上記操作部の上記第１の表示におけるプリント順序に関する表示内容を変更可能にし、上記第1の表示を操作部に実行させ、且つ、上記第２の表示を介してプリントジョブが選択されたうえで、該選択されたプリントジョブのプリント処理を中止させる第２指示をユーザにより入力可能にする為の第４の表示を上記操作部に実行可能にし、上記第1の表示がなされ、且つ、上記第２の表示を介してプリントジョブが選択され、且つ、上記第４の表示を介して上記第２指示が入力された場合に、プリント処理が完了していない上記複数のプリントジョブのうちの、上記第２の表示を介して選択されていないプリントジョブのプリント処理は中止せずに、上記第２の表示を介して選択されたプリントジョブのプリント処理を中止可能にし、上記第1の表示がなされ、且つ、上記第２の表示を介してプリントジョブが選択され、且つ、上記第４の表示を介して上記第２指示が入力されたうえで、該選択されたプリントジョブのプリント処理を中止する場合に、該��択されたプリントジョブの情報を上記操作部における上記第１の表示から消去可能にするので、ユーザは、ジョブの実行（待機）状況として、上記第1ジョブがプリント中であり且つ上記第２ジョブ及び上記第３ジョブが夫々プリント待ち状態であることを、上記操作部における上記第１の表示を介して、各ジョブ毎に容易に把握することができ、且つ、これらのジョブのプリント順序を、上記第１の表示を介して容易に確認することができ、そのうえで、上記複数のプリントジョブの中から何れかのプリントジョブを上記操作部における上記第２の表示を介して選択でき、そのうえで、該選択されたプリントジョブのプリント処理を他のプリントジョブに優先して実行させる指示を上記操作部における上記第３の表示を介して入力することができ、上記第1の表示がなされ、且つ、上記第２の表示を介して上記第３ジョブを選択し、且つ、上記第３の表示を介して上記指示を入力した場合に、上記プリント中の第1ジョブのプリント処理は中断せずに、該第３ジョブのプリント処理を、上記第1ジョブのプリント処理が完了してから上記記第２ジョブのプリント処理を開始する前に実行させることができ、尚且つ、このようなプリント順序で、これらのプリントジョブが処理されることを、上記操作部の上記第１の表示を介して容易に確認でき、更に、上記第1の表示を操作部に実行させ、且つ、上記第２の表示を介してプリントジョブを選択したうえで、該選択されたプリントジョブのプリント処理を中止させる第２指示を上記操作部における上記第４の表示を介して入力でき、上記第1の表示がなされ、且つ、上記第２の表示を介してプリントジョブを選択して、且つ、上記第４の表示を介して上記第２指示を入力した場合に、プリント処理が完了していない上記複数のプリントジョブのうちの、上記第２の表示を介して選択されていないプリントジョブのプリント処理は中止せずに、上記第２の表示を介して選択したプリントジョブのプリント処理を中止させることができ、尚且つ、この場合に、該選択されたプリントジョブの情報を上記操作部における上記第１の表示から消去させることが出来る。
【０１７６】
本発明に係る第３の発明によれば、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置にてプリント中の第1ジョブ、及び、該第1ジョブの後にプリント処理を実行すべきプリント待ち状態の第２ジョブ、及び、該第２ジョブの後にプリント処理を実行すべきプリント待ち状態の第３ジョブ、及び、該第３ジョブの後にプリント処理を実行すべきプリント待ち状態の第４ジョブを含む、プリント処理が完了していない互いに独立した複数のプリントジョブのジョブ状況として、上記第1ジョブがプリント中であり且つ上記第２ジョブ及び上記第３ジョブ及び上記第４ジョブが夫々プリント待ち状態であることを各ジョブ毎にユーザにより識別可能にし、且つ、これらのジョブのプリント順序をユーザにより識別可能にする為の第１の表示を操作部に実行可能にし、上記第１の表示を操作部に実行させたうえで上記複数のプリントジョブの中から何れかのプリントジョブをユーザにより複数選択可能にする為の第２の表示を上記操作部に実行可能にし、上記第1の表示を上記操作部に実行させ、且つ、上記第２の表示を介して複数のプリントジョブが選択されたうえで、該選択された複数のプリントジョブのプリント処理を他のプリントジョブに優先して実行させる指示をユーザにより入力可能にする為の第３の表示を上記操作部に実行可能にし、上記第1の表示がなされ、且つ、上記第２の表示を介して上記第３ジョブ及び上記第４ジョブが選択され、且つ、上記第３の表示を介して上記指示が入力された場合に、上記プリント中の第1ジョブのプリント処理は中断せずに、該第３ジョブのプリント処理と該第４ジョブのプリント処理を、上記第1ジョブのプリント処理が完了してから上記記第２ジョブのプリント処理を開始する前に連続的に実行可能にし、上記第1の表示がなされ、且つ、上記第２の表示を介して上記第３ジョブ及び上記第４ジョブが選択され、且つ、上記第３の表示を介して上記指示が入力されたうえで、上記第３ジョブのプリント処理と上記第４ジョブのプリント処理を、上記第1ジョブのプリント処理が完了してから上記記第２ジョブのプリント処理を開始する前に、連続的に実行する場合に、該第３ジョブのプリント処理と上記第４ジョブのプリント処理とが上記第1ジョブのプリント処理の完了後で且つ上記第２ジョブのプリント処理の開始前に連続的に実行されることをユーザにより識別出来るように、上記操作部の上記第１の表示におけるプリント順序に関する表示内容を変更可能にするので、
ユーザは、ジョブの実行（待機）状況として、上記第1ジョブがプリント中であり且つ上記第２ジョブ及び上記第３ジョブ及び上記第４ジョブが夫々プリント待ち状態であることを、上記操作部における上記第１の表示を介して、各ジョブ毎に容易に把握することができ、且つ、これらのジョブのプリント順序を、上記第１の表示を介して容易に確認することができ、そのうえで、上記複数のプリントジョブの中から何れかのプリントジョブを上記操作部における上記第２の表示を介して複数選択でき、そのうえで、該選択されたプリントジョブのプリント処理を他のプリントジョブに優先して実行させる指示を上記操作部における上記第３の表示を介して入力することができ、上記第1の表示がなされ、且つ、上記第２の表示を介して上記第３ジョブと第４ジョブを選択し、且つ、上記第３の表示を介して上記指示を入力した場合に、上記プリント中の第1ジョブのプリント処理は中断せずに、該第３ジョブのプリント処理と上記第４ジョブのプリント処理を、上記第1ジョブのプリント処理が完了してから上記記第２ジョブのプリント処理を開始する前に連続的に実行させることができ、尚且つ、このようなプリント順序で、これらのプリントジョブが処理されることを、上記操作部の上記第１の表示を介して容易に確認できる。
【０１７７】
本発明に係る第４の発明によれば、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置にてプリント中の第1ジョブ、及び、該第1ジョブの後にプリント処理を実行すべきプリント待ち状態の第２ジョブ、及び、該第２ジョブの後にプリント処理を実行すべきプリント待ち状態の第３ジョブ、及び、該第３ジョブの後にプリント処理を実行すべきプリント待ち状態の第４ジョブを含む、プリント処理が完了していない互いに独立した複数のプリントジョブのジョブ状況として、上記第1ジョブがプリント中であり且つ上記第２ジョブ及び上記第３ジョブ及び上記第４ジョブが夫々プリント待ち状態であることを各ジョブ毎にユーザにより識別可能にし、且つ、これらのジョブのプリント順序をユーザにより識別可能にする為の第１の表示を操作部に実行可能にし、上記第１の表示を操作部に実行させたうえで上記複数のプリントジョブの中から何れかのプリントジョブをユーザにより複数選択可能にする為の第２の表示を上記操作部に実行可能にし、上記第1の表示を上記操作部に実行させ、且つ、上記第２の表示を介して複数のプリントジョブが選択されたうえで、該選択された複数のプリントジョブのプリント処理を他のプリントジョブに優先して実行させる第１指示をユーザにより入力可能にする為の第３の表示を上記操作部に実行可能にし、上記第1の表示がなされ、且つ、上記第２の表示を介して上記第３ジョブ及び上記第４ジョブが選択され、且つ、上記第３の表示を介して上記第１指示が入力された場合に、上記プリント中の第1ジョブのプリント処理は中断せずに、該第３ジョブのプリント処理と該第４ジョブのプリント処理を、上記第1ジョブのプリント処理が完了してから上記記第２ジョブのプリント処理を開始する前に、連続的に実行可能にし、上記第1の表示がなされ、且つ、上記第２の表示を介して上記第３ジョブ及び上記第４ジョブが選択され、且つ、上記第３の表示を介して上記第１指示が入力されたうえで、上記第３ジョブのプリント処理と上記第４ジョブのプリント処理を、上記第1ジョブのプリント処理が完了してから上記記第２ジョブのプリント処理を開始する前に、連続的に実行する場合に、該第３ジョブのプリント処理と上記第４ジョブのプリント処理とが上記第1ジョブのプリント処理の完了後で且つ上記第２ジョブのプリント処理の開始前に連続的に実行されることをユーザにより識別出来るように、上記操作部の上記第１の表示におけるプリント順序に関する表示内容を変更可能にし、上記第1の表示を操作部に実行させ、且つ、上記第２の表示を介して複数のプリントジョブが選択されたうえで、該選択された複数のプリントジョブのプリント処理を中止させる第２指示をユーザにより入力可能にする為の第４の表示を上記操作部に実行可能し、上記第1の表示がなされ、且つ、上記第２の表示を介して複数のプリントジョブが選択され、且つ、上記第４の表示を介して上記第２指示が入力された場合に、プリント処理が完了していない上記複数のプリントジョブのうちの、上記第２の表示を介して選択されていないプリントジョブのプリント処理は中止せずに、上記第２の表示を介して選択された複数のプリントジョブのプリント処理を中止可能にし、上記第1の表示がなされ、且つ、上記第２の表示を介して複数のプリントジョブが選択され、且つ、上記第４の表示を介して上記第２指示が入力されたうえで、該選択された複数のプリントジョブのプリント処理を中止する場合に、該選択された複数のプリントジョブの情報を上記操作部における上記第１の表示から消去可能にするので、ユーザは、ジョブの実行（待機）状況として、上記第1ジョブがプリント中であり且つ上記第２ジョブ及び上記第３ジョブ及び上記第４ジョブが夫々プリント待ち状態であることを、上記操作部における上記第１の表示を介して、各ジョブ毎に容易に把握することができ、且つ、これらのジョブのプリント順序を、上記第１の表示を介して容易に確認することができ、そのうえで、上記複数のプリントジョブの中から何れかのプリントジョブを上記操作部における上記第２の表示を介して複数選択でき、そのうえで、該選択されたプリントジョブのプリント処理を他のプリントジョブに優先して実行させる指示を上記操作部における上記第３の表示を介して入力することができ、上記第1の表示がなされ、且つ、上記第２の表示を介して上記第３ジョブと第４ジョブを選択し、且つ、上記第３の表示を介して上記指示を入力した場合に、上記プリント中の第1ジョブのプリント処理は中断せずに、該第３ジョブのプリント処理と上記第４ジョブのプリント処理を、上記第1ジョブのプリント処理が完了してから上記記第２ジョブのプリント処理を開始する前に連続的に実行させることができ、尚且つ、このようなプリント順序で、これらのプリントジョブが処理されることを、上記操作部の上記第１の表示を介して容易に確認でき、更に、上記第1の表示を操作部に実行させ、且つ、上記第２の表示を介して複数のプリントジョブを選択したうえで、該選択された複数のプリントジョブのプリント処理を中止させる第２指示を上記操作部における上記第４の表示を介して入力でき、上記第1の表示がなされ、且つ、上記第２の表示を介して複数のプリントジョブを選択し、且つ、上記第４の表示を介して上記第２指示を入力した場合に、プリント処理が完了していない上記複数のプリントジョブのうちの、上記第２の表示を介して選択していないプリントジョブのプリント処理は中止せずに、上記第２の表示を介して選択した複数のプリントジョブのプリント処理を中止でき、この場合に、該選択した複数のプリントジョブの情報を上記操作部における上記第１の表示から消去させることが出来る。
【０１７８】
本発明に係る第５の発明によれば、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置にてプリント中の第1ジョブ、及び、該第1ジョブの後にプリント処理を実行すべきプリント待ち状態の第２ジョブ、及び、該第２ジョブの後にプリント処理を実行すべきプリント待ち状態の第３ジョブを含む、プリント処理が完了していない互いに独立した複数のプリントジョブのジョブ状況として、上記第1ジョブがプリント中であり且つ上記第２ジョブ及び上記第３ジョブが夫々プリント待ち状態であることを各ジョブ毎にユーザにより識別可能にし、且つ、これらのジョブのプリント順序をユーザにより識別可能にする為の第１の表示を操作部に実行可能にし、上記第１の表示を上記操作部に実行させたうえで上記複数のプリントジョブの中から何れかのプリントジョブをユーザにより選択可能にする為の第２の表示を上記操作部に実行可能にし、上記第1の表示を操作部に実行させ、且つ、上記第２の表示を介してプリントジョブが選択されたうえで、該選択されたプリントジョブのプリント処理を他のプリントジョブに優先して実行させる第1指示をユーザにより入力可能にする為の第３の表示を上記操作部に実行可能にし、上記第1の表示がなされ、且つ、上記第２の表示を介して上記第３ジョブが選択され、且つ、上記第３の表示を介して上記第1指示が入力された場合に、上記プリント中の第1ジョブのプリント処理は中断せずに、該第３ジョブのプリント処理を、上記第1ジョブのプリント処理が完了してから上記記第２ジョブのプリント処理を開始する前に実行可能にし、上記第1の表示がなされ、且つ、上記第２の表示を介して上記第３ジョブが選択され、且つ、上記第３の表示を介して上記第1指示が入力されたうえで、上記第３ジョブのプリント処理を、上記第1ジョブのプリント処理が完了してから上記記第２ジョブのプリント処理を開始する前に実行する場合に、該第３ジョブのプリント処理が上記第1ジョブのプリント処理の完了後で且つ上記第２ジョブのプリント処理の開始前に実行されることをユーザにより識別出来るように、上記操作部の上記第１の表示におけるプリント順序に関する表示内容を変更可能にし、上記第1の表示を上記操作部に実行させると共に、上記画像形成装置にてプリント処理が終了済みの互いに独立した複数のプリントジョブのジョブ履歴を上記操作部に表示させる第２指示をユーザにより入力可能にする為の第４の表示を上記操作部に実行可能にし、上記第1の表示を上記操作部に実行させている場合において上記第４の表示を介して上記第２指示が入力された場合に、上記画像形成装置にてプリント処理が終了済みの互いに独立した複数のプリントジョブの履歴情報を各ジョブ毎にユーザにより識別可能にする為の第５の表示を、上記第１の表示のかわって、上記操作部に実行可能にするので、
ユーザは、ジョブの実行（待機）状況として、上記第1ジョブがプリント中であり且つ上記第２ジョブ及び上記第３ジョブが夫々プリント待ち状態であることを、上記操作部における上記第１の表示を介して、各ジョブ毎に容易に把握することができ、且つ、これらのジョブのプリント順序を、上記第１の表示を介して容易に確認することができ、そのうえで、上記複数のプリントジョブの中から何れかのプリントジョブを上記操作部における上記第２の表示を介して選択でき、そのうえで、該選択されたプリントジョブのプリント処理を他のプリントジョブに優先して実行させる指示を上記操作部における上記第３の表示を介して入力することができ、上記第1の表示がなされ、且つ、上記第２の表示を介して上記第３ジョブを選択し、且つ、上記第３の表示を介して上記指示を入力した場合に、上記プリント中の第1ジョブのプリント処理は中断せずに、該第３ジョブのプリント処理を、上記第1ジョブのプリント処理が完了してから上記記第２ジョブのプリント処理を開始する前に実行させることができ、尚且つ、このようなプリント順序で、これらのプリントジョブが処理されることを、上記操作部の上記第１の表示を介して容易に確認でき、更に、上記第1の表示を上記操作部に実行させている状態で上記操作部に上記第４の表示を実行させることができ、上記画像形成装置にてプリント処理が終了済みの互いに独立した複数のプリントジョブのジョブ履歴を上記操作部に表示させる第２指示を上記操作部の上記第４の表示を介して入力することができ、上記第1の表示を上記操作部に実行させている場合において上記第４の表示を介して上記第２指示を入力した場合に、上記第１の表示のかわって上記第５の表示を上記操作部に実行させることができ、該第５の表示を介して、上記画像形成装置にてプリント処理が終了済みの互いに独立した複数のプリントジョブの履歴情報を各ジョブ毎に識別することが出来る。
【０１７９】
本発明に係る第６の発明によれば、上記第５の発明において、上記第５の表示として、プリント処理が終了済みの各ジョブの履歴情報をリストで示す一覧表示を上記操作部に実行させることができ、ユーザは、上記一覧表示の中から何れかのプリントジョブを選択でき、そのうえで、該選択したプリントジョブの履歴に関する詳細情報を上記操作部に表示させる指示を入力することができ、そのうえで、該一覧表示の中から選択したプリントジョブの履歴に関する詳細情報を上記操作部に表示させることが出来る。
【０１８０】
本発明に係る第７の発明によれば、上記第1乃至第６の何れかの発明において、第1の表示として、プリント処理が完了していない各ジョブの実行状況をリストで示す一覧表示を上記操作部に実行させることでき、ユーザは、上記一覧表示の中から何れかのプリントジョブを選択でき、上記一覧表示の中からプリントジョブを選択したうえで、該選択したプリントジョブの実行状況に関する詳細情報を上記操作部に表示させる指示を入力することができ、そのうえで、上記操作部に該一覧表示の中から選択したプリントジョブの実行状況に関する詳細情報を表示させることが出来る。
【０１８１】
本発明に係る第８の発明によれば、上記第1乃至第７の何れかの発明において、ユーザは、ジョブ状況として、プリント処理が完了していないジョブの受付時間を各ジョブ毎に上記操作部の表示を介して識別することが出来る。
【０１８２】
本発明に係る第９の発明によれば、上記第1乃至第８の何れかの発明において、上記画像形成装置は、コピー機能及びプリント機能及びファクシミリ機能の少なくとも何れかの機能を含む複数の機能を具備し、互いに異なる機能の複数のプリントジョブを受付可能とし、ユーザは、上記操作部の表示を介して、ジョブ状況として、プリント処理が完了していないジョブが上記複数の機能の何れかの機能であるかを各ジョブ毎に識別することが出来る。
【０１８３】
本発明に係る第１０の発明によれば、上記第1乃至第９の何れかの発明において、ユーザは、ジョブ状況として、プリント処理が完了していないジョブの画像情報のファイル名を各ジョブ毎に上記操作部の表示を介して識別することが出来る。
【０１８４】
本発明に係る第１１の発明によれば、上記第1乃至第１０の何れかの発明において、上記画像形成装置は、所定の通信媒体を介してホストコンピュータから送信されたページ記述言語により記述されたコード情報をビットマップ展開した画像情報を上記記憶手段を介してプリントさせるＰＤＬプリントジョブを受付可能とし、ユーザは、ジョブ状況として、プリント処理が完了していないＰＤＬプリントジョブのホストコンピュータのホスト名またはユーザ名を上記操作部の表示を介して識別することが出来る。
【０１８５】
本発明に係る第１２の発明によれば、上記第1乃至第１１の何れかの発明において、上記画像形成装置は、所定の通信回線を介してファクシミリ受信される画像情報を上記記憶手段を介してプリントさせるファクシミリプリントジョブを受付可能とし、ユーザは、ジョブ状況として、プリント処理が完了していないファクシミリプリントジョブの送信元のファクシミリ番号を上記操作部の表示を介して識別することが出来る。
【０１８６】
本発明に係る第１３の発明によれば、上記第1乃至第１２の何れかの発明において、ユーザは、上記操作部の表示を介して、ジョブ状況として、プリント処理が完了していないプリントジョブが上記記憶手段をどれだけ使用しているかを各ジョブ毎に識別することが出来る。
【０１８７】
本発明に係る第１４の発明によれば、上記第1乃至第１３の何れかの発明において、ジョブ状況として、プリント処理が完了していないプリントジョブのページ数や処理モードを各ジョブ毎にユーザにより識別可能にする為の情報、及び、プリント処理が完了していないプリントジョブの受付番号を各ジョブ毎にユーザにより識別可能にする為の情報の、少なくとも何れかの情報を含んだ表示を上記操作部に実行させることが出来る。
【０１８８】
本発明に係る第１５の発明によれば、上記第1乃至第１４の何れかの発明において、ユーザは、上記操作部の表示を介して、ジョブ履歴として、プリント処理が終了済みのジョブの受付時間を各ジョブ毎に識別することが出来る。
【０１８９】
本発明に係る第１６の発明によれば、上記第1乃至第１５の何れかの発明において、ユーザは、上記操作部の表示を介して、ジョブ履歴として、プリント処理が終了済みのジョブの処理終了時間を各ジョブ毎に識別することが出来る。
【０１９０】
本発明に係る第１７の発明によれば、上記第1乃至第１６の何れかの発明において、ユーザは、上記操作部の表示を介して、ジョブ履歴として、プリント処理が終了済みのジョブの実行結果を各ジョブ毎に識別することが出来る。
【０１９１】
本発明に係る第１８の発明によれば、上記第1乃至第１７の何れかの発明において、上記画像形成装置は、コピー機能及びプリント機能及びファクシミリ機能の少なくとも何れかの機能を含む複数の機能を具備し、互いに異なる機能の複数のプリントジョブを受付可能とし、ユーザは、上記操作部の表示を介して、ジョブ履歴として、プリント処理が終了済みのジョブが上記複数の機能の何れかの機能であるかを各ジョブ毎に識別することが出来る。
【０１９２】
本発明に係る第１９の発明によれば、上記第1乃至第１８の何れかの発明において、ユーザは、上記操作部の表示を介して、ジョブ履歴として、プリント処理が終了済みのジョブの画像情報のファイル名を各ジョブ毎に識別することが出来る。
【０１９３】
本発明に係る第２０の発明によれば、上記第1乃至第１９の何れかの発明において、上記画像形成装置は、所定の通信媒体を介してホストコンピュータから送信されたページ記述言語により記述されたコード情報をビットマップ展開した画像情報を上記記憶手段を介してプリントさせるＰＤＬプリントジョブを受付可能とし、ユーザは、上記操作部の表示を介して、ジョブ履歴として、プリント処理が終了済みのＰＤＬプリントジョブのホストコンピュータのホスト名またはユーザ名を識別することが出来る。
【０１９４】
本発明に係る第２１の発明によれば、上記第1乃至第２０の何れかの発明において、上記画像形成装置は、所定の通信回線を介してファクシミリ受信される画像情報を上記記憶手段を介してプリントさせるファクシミリプリントジョブを受付可能とし、ユーザは、上記操作部の表示を介して、ジョブ履歴として、プリント処理が終了済みのファクシミリプリントジョブの送信元のファクシミリ番号を識別することが出来る。
【０１９５】
本発明に係る第２２の発明によれば、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置による上記記憶手段に記憶された画像情報のプリント処理、及び、上記記憶手段に記憶された画像情報の消去処理の、少なくとも何れかの処理を含む、上記記憶手段に記憶された画像情報に対する処理を行うにあたり、ユーザによりパスワードを入力させる為の第1の表示を操作部に実行可能にし、上記第1の表示を介してパスワードが入力されたうえで、前記記憶手段に記憶されている複数の画像情報の中から処理すべき画像情報をユーザにより複数選択可能にする為の第２の表示を上記操作部に実行可能にし、上記第１の表示を介してパスワードが入力され、且つ、上記第２の表示を介して複数の画像情報が選択されたうえで、該選択された複数の画像情報のプリント処理を一括して実行させる指示をユーザにより入力可能にする為の第３の表示を上記操作部に実行可能にし、上記第１の表示を介してパスワードが入力され、且つ、上記第２の表示を介して複数の画像情報が選択され、且つ、上記第３の表示を介して上記指示が入力されたうえで、上記記憶手段の該選択された複数の画像情報のプリント処理を一括して実行可能にするので、上記記憶手段に記憶された画像情報に対する処理を行うにあたり、ユーザによりパスワードを入力させる為の第1の表示を操作部に実行させることができ、上記第1の表示を介してパスワードが入力されたうえで、前記記憶手段に記憶されている複数の画像情報の中から処理すべき画像情報をユーザにより複数選択可能にする為の第２の表示を上記操作部に実行させることができ、上記第１の表示を介してパスワードが入力され、且つ、上記第２の表示を介して複数の画像情報が選択されたうえで、該選択された複数の画像情報のプリント処理を一括して実行させる指示を上記第３の表示を介してユーザにより入力させることができ、上記第１の表示を介してパスワードが入力され、且つ、上記第２の表示を介して複数の画像情報が選択され、且つ、上記第３の表示を介して上記指示が入力されたうえで、上記記憶手段の該選択された複数の画像情報のプリント処理を一括して実行させることができ、ユーザは、上記記憶手段の複数の画像情報をプリントさせる際に、同一の操作を繰り返すことなく、上記第２の表示を介して複数の画像情報を選択して上記第３の表示を介してプリント処理を一括指示することができ、ユーザの操作指示負担を大幅に軽減することができる。
【０１９６】
本発明に係る第２３の発明によれば、画像情報を記録媒体にプリントさせるプリントジョブを複数受付可能とし、且つ、各プリントジョブの画像情報を含む複数の画像情報を記憶可能な記憶手段の画像情報をプリント可能な画像形成装置による上記記憶手段に記憶された画像情報のプリント処理、及び、上記記憶手段に記憶された画像情報の消去処理の、少なくとも何れかの処理を含む、上記記憶手段に記憶された画像情報に対する処理を行うにあたり、ユーザによりパスワードを入力させる為の第1の表示を操作部に実行可能にし、上記第1の表示を介してパスワードが入力されたうえで、前記記憶手段に記憶されている複数の画像情報の中から処理すべき画像情報をユーザにより複数選択可能にする為の第２の表示を上記操作部に実行可能にし、上記第１の表示を介してパスワードが入力され、且つ、上記第２の表示を介して複数の画像情報が選択されたうえで、該選択された複数の画像情報のプリント処理を一括して実行させる第1指示をユーザにより入力可能にする為の第３の表示を上記操作部に実行可能にし、上記第１の表示を介してパスワードが入力され、且つ、上記第２の表示を介して複数の画像情報が選択され、且つ、上記第３の表示を介して上記第1指示が入力されたうえで、上記記憶手段の該選択された複数の画像情報のプリント処理を一括して実行可能にし、上記第１の表示を介してパスワードが入力され、且つ、上記第２の表示を介して複数の画像情報が選択されたうえで、該選択された複数の画像情報の消去処理を一括して実行させる第２指示をユーザにより入力可能にする為の第４の表示を上記操作部に実行可能にし、上記第１の表示を介してパスワードが入力され、且つ、上記第２の表示を介して複数の画像情報が選択され、且つ、上記第４の表示を介して上記第２指示が入力されたうえで、上記記憶手段の該選択された複数の画像情報の消去処理を一括して実行可能にするので、上記記憶手段に記憶された画像情報に対する処理を行うにあたり、ユーザによりパスワードを入力させる為の第1の表示を操作部に実行させることができ、上記第1の表示を介してパスワードが入力されたうえで、前記記憶手段に記憶されている複数の画像情報の中から処理すべき画像情報をユーザにより複数選択可能にする為の第２の表示を上記操作部に実行させることができ、上記第１の表示を介してパスワードが入力され、且つ、上記第２の表示を介して複数の画像情報が選択されたうえで、該選択された複数の画像情報のプリント処理を一括して実行させる指示を上記第３の表示を介してユーザにより入力させることができ、上記第１の表示を介してパスワードが入力され、且つ、上記第２の表示を介して複数の画像情報が選択され、且つ、上記第３の表示を介して上記指示が入力されたうえで、上記記憶手段の該選択された複数の画像情報のプリント処理を一括して実行させることができ、ユーザは、上記記憶手段の複数の画像情報をプリントさせる際に、同一の操作を繰り返すことなく、上記第２の表示を介して複数の画像情報を選択して上記第３の表示を介してプリント処理を一括指示することができ、尚且つ、上記第１の表示を介してパスワードが入力され、且つ、上記第２の表示を介して複数の画像情報が選択されたうえで、該選択された複数の画像情報の消去処理を一括して実行させる指示を上記第４の表示を介してユーザにより入力させることができ、ユーザは、上記記憶手段の複数の画像情報を消去させる際に、同一の操作を繰り返すことなく、上記第２の表示を介して複数の画像情報を選択して上記第４の表示を介して消去処理を一括指示することができ、ユーザの操作指示負担を大幅に軽減することができる。
【０１９７】
本発明に係る第２４の発明によれば、上記第２２又は第２３の何れかの発明において、上記画像形成装置は、上記記憶手段の一部の記憶領域が互いに複数の画像情報を記憶可能な複数のボックスとして利用される該ボックスに格納された画像情報を処理可能なボックス機能を具備し、上記複数のボックスの中から何れのボックスを選択可能にする為のボックス選択表示を上記操作部に実行させ、上記ボックス選択表示を介してボックスが選択されたうえで、上記第1の表示を上記操作部に実行させ、上記ボックス選択表示を介してボックスが選択され、且つ、該選択されたボックスの為のパスワードが上記第１の表示を介して入力されたうえで、該選択されたボックスに関連付けられている複数の画像情報の中から処理すべき画像情報を複数選択可能にする為の表示を、上記第２の表示として、上記操作部に実行させることが出来る。
【０１９８】
本発明に係る第２５の発明によれば、上記第２２乃至第２４の何れかの発明において、上記第２の表示として、各画像情報の上記記憶手段に対する記憶日時を各画像情報毎にユーザにより識別可能にする為の識別情報、及び、各画像情報のファイル名を各画像情報毎にユーザにより識別可能にする為の識別情報の、少なくとも何れかの識別情報を有する画像情報の識別情報を含んだ表示を、上記操作部に実行させることが出来る。
【０１９９】
本発明に係る第２６の発明によれば、上記第２２乃至第２５の何れかの発明において、上記記憶手段に、スキャナで読取った原稿データに基づいた画像情報、及び、ホストコンピュータで生成したデータに基づいた画像情報、の少なくとも何れの画像情報を記憶させることが出来る。
【０２００】
本発明に係る第２７の発明によれば、上記第２２乃至第２６の何れかの発明において、上記第２の表示を介して選択された画像情報のプリント処理を実行したうえで、上記記憶手段の該選択された画像情報の消去処理を実行させることが出来る。
【０２０４】
従って、ユーザの操作環境を格段に向上できる等の効果を奏する。
【図面の簡単な説明】
【図１】本発明の第１実施形態を示す画像形成装置の制御構成を説明するブロック図である。
【図２】図１に示したリーダ部及びプリンタ部の構成を示す断面図である。
【図３】図１に示した操作部のキー配列を説明する図である。
【図４】図３に示したタッチパネルに表示されるのコピー標準画面の一例を説明する図である。
【図５】図３に示したタッチパネルに表示される第１のプリント状況画面の一例を説明する図である。
【図６】図３に示したタッチパネルに表示されるプリントジョブ詳細ウインドウの一例を説明する図である。
【図７】図３に示したタッチパネルに表示されるプリントジョブ履歴画面の一例を説明する図である。
【図８】図３に示したタッチパネルに表示されるプリントジョブ履歴詳細ウインドウの一例を説明する図である。
【図９】本発明に係る画像形成装置における第１のデータ処理手順の一例を説明するフローチャートである。
【図１０】図３に示したタッチパネルに表示される第２のプリント状況画面の一例を説明する図である。
【図１１】本発明に係る画像形成装置における第２のデータ処理手順の一例を説明するフローチャートである。
【図１２】図１に示した画像メモリの論理的な使用方法を説明する概念図である。
【図１３】図３に示したタッチパネルに表示されるボックス選択画面の一例を説明する図である。
【図１４】図３に示したタッチパネルに表示されるパスワード入力画面の一例を説明する図である。
【図１５】図３に示したタッチパネルに表示されるドキュメント選択画面の一例を説明する図である。
【図１６】本発明に係る画像形成装置における第３のデータ処理手順を説明するフローチャートである。
【図１７】本発明に係る画像形成装置における第４のデータ処理手順の一例を説明するフローチャートである。
【符号の説明】
１０１  デジタル複写機
１０２  操作部
１０３  リーダ部
１０４  プリンタ部
１０５  画像入出力制御部
１０６  ファクシミリ部
１０７  コンピュータインタフェース部
１０８  画像メモリ部
１０９  制御部
【図１】
0003592088.tif 000002
【図２】
0003592088.tif 000003
【図３】
0003592088.tif 000004
【図４】
0003592088.tif 000005
【図５】
0003592088.tif 000006
【図６】
0003592088.tif 000007
【図７】
0003592088.tif 000008
【図８】
0003592088.tif 000009
【図９】
0003592088.tif 000010
【図１０】
0003592088.tif 000011
【図１１】
0003592088.tif 000012
【図１２】
0003592088.tif 000013
【図１３】
0003592088.tif 000014
【図１４】
0003592088.tif 000015
【図１５】
0003592088.tif 000016
【図１６】
0003592088.tif 000017
【図１７】
0003592088.tif 000018